(57)【特許請求の範囲】
【請求項１】
第１の配線と、第２の配線と、第３の配線と、第４の配線と、第１の回路と、第２の回路と、第３の回路と、第１のスイッチと、第２のスイッチと、第３のスイッチと、第４のスイッチと、第５のスイッチと、第６のスイッチと、第１の画素と、第２の画素と、第３の画素と、を有し、
前記第４の配線は、ビデオ信号に対応する電圧を伝達することができる機能を有し、
前記第１の回路は、第１の電流を出力する電流源となることができる機能を有し、
前記第２の回路は、第２の電流を出力する電流源となることができる機能を有し、
前記第３の回路は、第３の電流を出力する電流源となることができる機能を有し、
前記第１の電流は、前記ビデオ信号に対応する電流であり、
前記第２の電流は、前記ビデオ信号に対応する電流であり、
前記第３の電流は、前記ビデオ信号に対応する電流であり、
前記第１の画素は、第１の発光素子を有し、
前記第２の画素は、第２の発光素子を有し、
前記第３の画素は、第３の発光素子を有し、
前記第４の配線は、前記第１のスイッチを介して前記第１の配線と接続され、
前記第４の配線は、前記第２のスイッチを介して前記第２の配線と接続され、
前記第４の配線は、前記第３のスイッチを介して前記第３の配線と接続され、
前記第１の配線は、前記第１の画素と接続され、
前記第２の配線は、前記第２の画素と接続され、
前記第３の配線は、前記第３の画素と接続され、
前記第１の回路は、前記第４のスイッチを介して前記第１の配線と接続され、
前記第２の回路は、前記第５のスイッチを介して前記第２の配線と接続され、
前記第３の回路は、前記第６のスイッチを介して前記第３の配線と接続される半導体装置であって、
前記第１のスイッチをオンにして、前記第４の配線から前記第１の配線に第１の電圧を供給することができる機能を有し、
前記第１のスイッチをオフにし、かつ、前記第２のスイッチをオンにして、前記第４の配線から前記第２の配線に第２の電圧を供給することができる機能を有し、
前記第２のスイッチをオフにし、かつ、前記第３のスイッチをオンにして、前記第４の配線から前記第３の配線に第３の電圧を供給することができる機能を有し、
前記第３のスイッチをオフにし、かつ、前記第４のスイッチと前記第５のスイッチと前記第６のスイッチとをオンにして、前記第１の画素に前記第１の電流を供給し、前記第２の画素に前記第２の電流を供給し、前記第３の画素に前記第３の電流を供給することができる機能を有し、
前記第１の画素に前記第１の電流を供給する前に、前記第１の配線に前記第１の電圧を供給することができる機能を有し、
前記第２の画素に前記第２の電流を供給する前に、前記第２の配線に前記第２の電圧を供給することができる機能を有し、
前記第３の画素に前記第３の電流を供給する前に、前記第３の配線に前記第３の電圧を供給することができる機能を有することを特徴とする半導体装置。
【請求項２】
第１の配線と、第２の配線と、第３の配線と、第４の配線と、第１の回路と、第２の回路と、第３の回路と、第１のスイッチと、第２のスイッチと、第３のスイッチと、第４のスイッチと、第５のスイッチと、第６のスイッチと、第１の画素と、第２の画素と、第３の画素と、を有し、
前記第４の配線は、ビデオ信号に対応する電圧を伝達することができる機能を有し、
前記第１の回路は、第１の電流を出力する電流源となることができる機能を有し、
前記第２の回路は、第２の電流を出力する電流源となることができる機能を有し、
前記第３の回路は、第３の電流を出力する電流源となることができる機能を有し、
前記第１の電流は、前記ビデオ信号に対応する電流であり、
前記第２の電流は、前記ビデオ信号に対応する電流であり、
前記第３の電流は、前記ビデオ信号に対応する電流であり、
前記第１の画素は、第１の発光素子を有し、
前記第２の画素は、第２の発光素子を有し、
前記第３の画素は、第３の発光素子を有し、
前記第４の配線は、前記第１のスイッチを介して前記第１の配線と接続され、
前記第４の配線は、前記第２のスイッチを介して前記第２の配線と接続され、
前記第４の配線は、前記第３のスイッチを介して前記第３の配線と接続され、
前記第１の配線は、前記第１の画素と接続され、
前記第２の配線は、前記第２の画素と接続され、
前記第３の配線は、前記第３の画素と接続され、
前記第１の回路は、前記第４のスイッチを介して前記第１の配線と接続され、
前記第２の回路は、前記第５のスイッチを介して前記第２の配線と接続され、
前記第３の回路は、前記第６のスイッチを介して前記第３の配線と接続される半導体装置であって、
前記第１のスイッチをオンにして、前記第４の配線から前記第１の配線に第１の電圧を供給することができる機能を有し、
前記第１のスイッチをオフにし、かつ、前記第２のスイッチと前記第４のスイッチとをオンにして、前記第４の配線から前記第２の配線に第２の電圧を供給するとともに、前記第１の画素に第１の電流を供給することができる機能を有し、
前記第２のスイッチをオフにし、かつ、前記第３のスイッチと前記第５のスイッチとをオンにして、前記第４の配線から前記第３の配線に第３の電圧を供給するとともに、前記第１の画素に第１の電流、前記第２の画素に第２の電流を供給することができる機能を有し、
前記第３のスイッチをオフにし、かつ、前記第６のスイッチをオンにして、前記第１の画素に第１の電流を供給し、前記第２の画素に第２の電流を供給し、前記第３の画素に第３の電流を供給することができる機能を有し、
前記第１の画素に前記第１の電流を供給する前に、前記第１の配線に前記第１の電圧を供給することができる機能を有し、
前記第２の画素に前記第２の電流を供給する前に、前記第２の配線に前記第２の電圧を供給することができる機能を有し、
前記第３の画素に前記第３の電流を供給する前に、前記第３の配線に前記第３の電圧を供給することができる機能を有することを特徴とする半導体装置。
【発明の詳細な説明】
【技術分野】
【０００１】
本発明は負荷に供給する電流をトランジスタで制御する機能を設けた半導体装置に係り
、特に電流によって輝度が変化する電流駆動型発光素子で形成された画素や、画素に信号
を供給する回路を含む半導体装置に関する。
【背景技術】
【０００２】
有機発光ダイオード（ＯＬＥＤ(Organic Light Emitting Diode)）、有機ＥＬ素子、エレ
クトロルミネッセンス(Electro Luminescence：ＥＬ)素子などとも言う）に代表される自
発光型の発光素子を用いた表示装置では、その駆動方式として単純マトリックス方式とア
クティブマトリックス方式とが知られている。前者は構造は簡単であるが、大型かつ高輝
度のディスプレイの実現が難しい等の問題があり、近年は発光素子に流れる電流を画素回
路内部に設けた薄膜トランジスタ（ＴＦＴ）によって制御するアクティブマトリックス方
式の開発が進められている。
【０００３】
アクティブマトリックス方式の表示装置の場合、駆動TFTの電流特性のバラツキにより
発光素子に流れる電流が変化し輝度がばらついてしまうという問題が認識されていた。つ
まり、画素回路には発光素子に流れる電流を駆動する駆動ＴＦＴが用いられており、これ
らの駆動ＴＦＴの特性がばらつくことにより発光素子に流れる電流が変化し、輝度がばら
ついてしまうという問題があった。そこで画素回路内の駆動ＴＦＴの特性がばらついても
発光素子に流れる電流は変化せず、輝度のバラツキを抑えるための種々の回路が提案され
ている（例えば、特許文献１乃至４参照）。
【０００４】
特許文献１乃至３には、画素回路内に配置された駆動ＴＦＴの特性のバラツキによって
発光素子に流れる電流値の変動を防ぐための回路構成が開示されている。この構成は、電
流書き込み型画素、もしくは電流入力型画素などと呼ばれている。また特許文献４には、
ソースドライバ回路内のＴＦＴのバラツキによる信号電流の変化を抑制するための回路構
成が開示されている。
【０００５】
図６に、特許文献１に開示されている従来のアクティブマトリックス型表示装置の第１
の構成例を示す。図６の画素は、ソース信号線６０１、第１〜第３のゲート信号線６０２
〜６０４、電流供給線６０５、ＴＦＴ６０６〜６０９、保持容量６１０、ＥＬ素子６１１
、映像信号電流入力用電流源６１２を有する。
【０００６】
図７を用いて、信号電流の書き込みから発光までの動作について説明する。図中、各部
を示す図番は、図６に準ずる。図７(Ａ)〜(Ｃ)は、電流の流れを模式的に示している。図
７(Ｄ)は、信号電流の書き込み時における各経路を流れる電流の関係を示しており、図７
(Ｅ)は、同じく信号電流の書き込み時に、保持容量６１０に蓄積される電圧、つまりＴＦ
Ｔ６０８のゲート・ソース間電圧について示している。
【０００７】
まず、第１のゲート信号線６０２および第２のゲート信号線６０３にパルスが入力され
、ＴＦＴ６０６、６０７がオンになる。このとき、ソース信号線を流れる電流、すなわち
信号電流をIdataとする。
【０００８】
ソース信号線には、電流Idataが流れているので、図７(Ａ)に示すように、画素内では
、電流の経路はＩ1とＩ2とに分かれて流れる。これらの関係を図７(Ｄ)に示している。な
お、Idata＝Ｉ1＋Ｉ2であることは言うまでもない。
【０００９】
ＴＦＴ６０６がオンになった瞬間には、まだ保持容量６１０には電荷が保持されていな
いため、ＴＦＴ６０８はオフになっている。よって、Ｉ2＝０となり、Idata＝Ｉ1となる
。すなわちこの間は、保持容量６１０における電荷の蓄積による電流のみが流れている。
【００１０】
その後、徐々に保持容量６１０に電荷が蓄積され、両電極間に電位差が生じ始める(図
７(Ｅ))。両電極の電位差がＶｔｈとなると(図７(Ｅ)  Ａ点)、ＴＦＴ６０８がオンにな
って、Ｉ2が生ずる。先に述べたように、Idata＝Ｉ1＋Ｉ2であるので、Ｉ1は次第に減少
するが、依然電流は流れており、さらに保持容量には電荷の蓄積が行われる。
【００１１】
保持容量６１０においては、その両電極の電位差、つまりＴＦＴ６０８のゲート・ソー
ス間電圧が所望の電圧、つまりＴＦＴ６０８がIdataの電流を流すことが出来るだけの電
圧(ＶＧＳ)になるまで電荷の蓄積が続く。やがて電荷の蓄積が終了する(図７(Ｅ)  Ｂ点)
と、電流Ｉ1は流れなくなり、さらにＴＦＴ６０８はそのときのＶＧＳに見合った電流が
流れ、Idata＝Ｉ2となる(図７(Ｂ))。こうして、定常状態に達する。以上で信号の書き込
み動作が完了する。最後に第１のゲート信号線６０２および第２のゲート信号線６０３の
選択が終了し、ＴＦＴ６０６、６０７がオフになる。
【００１２】
続いて、発光動作に移る。第３のゲート信号線６０４にパルスが入力され、ＴＦＴ６０
９がオンになる。保持容量６１０には、先ほど書き込んだＶＧＳが保持されているため、
ＴＦＴ６０８はオンになっており、電流供給線６０５から、Idataの電流が流れる。これ
によりＥＬ素子６１１が発光する。このとき、ＴＦＴ６０８が飽和領域において動作する
ようにしておけば、ＴＦＴ６０８のソース・ドレイン間電圧が変化したとしても、Idata
は変わりなく流れることが出来る。
【００１３】
このように、設定した電流を出力する動作を、出力動作と呼ぶことにする。電流書き込
み型画素のメリットとして、ＴＦＴ６０８の特性等にばらつきがあった場合であっても、
保持容量６１０には、電流Idataを流すのに必要なゲート・ソース間電圧が保持されるた
め、所望の電流を正確にＥＬ素子に供給することが出来、よってＴＦＴの特性ばらつきに
起因した輝度ばらつきを抑えることが可能になる点がある。
【００１４】
以上の例は、画素回路内での駆動ＴＦＴのバラツキによる電流の変化を補正するための
技術に関するものであるが、ソースドライバ回路内においても同一の問題が発生する。特
許文献４には、ソースドライバ回路内でのＴＦＴの製造上のバラツキによる信号電流の変
化を防止するための回路構成が開示されている。
【００１５】
また、特許文献５には、階調を制御する電流源の他に電圧源を用意し、ソース信号線に
入力する２つの電源を切り替えるための電源切り替え手段により、行選択期間の初めに電
圧源により浮遊容量の電荷を瞬時に変化させ、その後所望の輝度を出すために電流源１０
により階調表示を行う構成が開示されている。
【先行技術文献】
【特許文献】
【００１６】
【特許文献１】特許出願公表番号２００２-５１７８０６号公報
【特許文献２】国際公開第 ０１/０６４８４号パンフレット
【特許文献３】特許出願公表番号２００２-５１４３２０号公報
【特許文献４】国際公開第 ０２/３９４２０号パンフレット
【特許文献５】特許出願公開番号２００３-６６９０８号公報
【発明の概要】
【発明が解決しようとする課題】
【００１７】
しかしながら、信号電流を駆動ＴＦＴや発光素子に供給するために用いられる配線の寄
生容量は極めて大きいため、信号電流が小さい場合には配線の寄生容量を充電する時定数
が大きくなり、信号書き込み速度が遅くなってしまうという問題点がある。すなわち、ト
ランジスタに信号電流を供給しても、それを流すのに必要な電圧をゲート端子に生じさせ
るまでの時間が長くなってしまい、信号の書き込み速度が遅くなってしまうことが問題と
なっている。
【００１８】
そこで、特許文献５において、ソース信号線の電荷を瞬時に変化させる構成が開示され
ているが、行選択期間の初めに供給される電圧値が最適な大きさになっていない。また、
構成が複雑になってしまっている。
【００１９】
本発明はこのような問題点に鑑み、トランジスタの特性バラツキの影響を低減し、所定
の電流を供給でき、信号電流が小さな場合であっても信号の書き込み速度を十分に向上さ
せることのできる半導体装置を提供することを目的とする。
【課題を解決するための手段】
【００２０】
本発明は、画素に入力する際に、前もって、最適な大きさの電圧を供給することにより
、上記目的を達成するものである。
【００２１】
本発明は、負荷に供給する電流をトランジスタで制御する回路を具備する半導体装置
であって、前記トランジスタのソースまたはドレインが電流源回路と接続され、前記電流
源回路から前記トランジスタに電流が供給されたとき、前記トランジスタのゲート・ソー
ス間電圧とドレイン・ソース間電圧とを制御する増幅回路が備えられていることを特徴と
するものである。
【００２２】
本発明は、ビデオ電圧信号線と、複数の信号線と、複数の電圧制御スイッチと、複数
の電流源回路と、複数の電流制御スイッチとを具備する半導体装置であって、前記信号線
は、前記電圧制御スイッチを介して前記ビデオ電圧信号線と接続されており、前記電流源
回路は、前記電流制御スイッチを介して前記信号線と接続されていることを特徴とすると
するものである。
【００２３】
本発明は、前記構成によって、前記電流源回路に電流を供給するビデオ電流信号線が
備えられていることを特徴とするものである。
【００２４】
本発明は、前記構成によって、前記電圧制御スイッチを順次選択していく駆動回路が
備えられていることを特徴とするものである。
【００２５】
本発明は、前記構成によって、前記ビデオ電流信号線から前記電流源回路に電流を順
次供給していく駆動回路が備えられていることを特徴とするものである。
【００２６】
本発明は、前記構成によって、前記ビデオ電流信号線に信号電流を供給し、前記ビデ
オ電圧信号線に信号電圧を供給する電圧電流供給回路が備えられていることを特徴とする
ものである。
【００２７】
本発明は、前記構成によって、前記信号電圧が、前記信号線に接続された画素へのプ
リチャージ電圧であることを特徴とするものである。
【００２８】
本発明において、適用可能なトランジスタの種類に限定はなく、非晶質シリコンや多結
晶シリコンに代表される非単結晶半導体膜を用いた薄膜トランジスタ（ＴＦＴ）、半導体
基板やＳＯＩ（Silicon On Insulator）基板を用いて形成されるＭＯＳ型トランジスタ、
接合型トランジスタ、有機半導体やカーボンナノチューブを用いたトランジスタ、その他
のトランジスタを適用することができる。また、トランジスタが配置されている基板の種
類に限定はなく、単結晶基板、ＳＯＩ基板、ガラス基板などに配置することが出来る。
【００２９】
なお、本発明において、接続されているとは、電気的に接続されていることと同義であ
る。したがって、本発明が開示する構成において、所定の接続関係に加え、その間に電気
的な接続を可能とする他の素子（例えば、別の素子やスイッチなど）が配置されていても
よい。
【発明の効果】
【００３０】
本発明では、トランジスタの特性バラツキの影響を低減し、所定の電流を供給でき、信
号電流が小さな場合であっても信号の書き込み速度を十分に向上させることのできる。ま
た、各トランジスタのサイズや電流量などを調節することにより、最適な大きさのプリチ
ャージ電圧を供給することが出来る。
【図面の簡単な説明】
【００３１】
【図１】本発明の半導体装置の構成を説明する図。
【図２】本発明の半導体装置の動作を説明する図。
【図３】本発明の半導体装置の動作を説明する図。
【図４】本発明の半導体装置の動作を説明する図。
【図５】本発明の半導体装置の動作を説明する図。
【図６】従来の画素の構成を説明する図。
【図７】従来の画素の動作を説明する図。
【図８】本発明の半導体装置の動作を説明する図。
【図９】本発明の半導体装置の動作を説明する図。
【図１０】本発明の半導体装置の構成を説明する図。
【図１１】本発明の半導体装置の構成を説明する図。
【図１２】本発明の半導体装置の構成を説明する図。
【図１３】本発明の半導体装置の動作を説明する図。
【図１４】本発明の半導体装置の動作を説明する図。
【図１５】本発明の半導体装置の動作を説明する図。
【図１６】本発明の半導体装置の動作を説明する図。
【図１７】本発明の半導体装置の構成を説明する図。
【図１８】本発明の半導体装置の構成を説明する図。
【図１９】本発明の半導体装置の構成を説明する図。
【図２０】本発明の半導体装置の構成を説明する図。
【図２１】本発明の半導体装置の構成を説明する図。
【図２２】本発明の半導体装置の構成を説明する図。
【図２３】本発明の半導体装置の構成を説明する図。
【図２４】本発明の半導体装置の構成を説明する図。
【図２５】本発明の半導体装置の構成を説明する図。
【図２６】本発明の半導体装置の構成を説明する図。
【図２７】本発明の半導体装置の構成を説明する図。
【図２８】本発明の半導体装置の構成を説明する図。
【図２９】本発明の半導体装置の構成を説明する図。
【図３０】本発明の半導体装置の動作を説明する図。
【図３１】本発明の半導体装置の動作を説明する図。
【図３２】本発明の半導体装置の構成を説明する図。
【図３３】本発明の半導体装置の構成を説明する図。
【図３４】本発明の半導体装置の動作を説明する図。
【図３５】本発明の半導体装置の動作を説明する図。
【図３６】本発明の半導体装置の構成を説明する図。
【図３７】本発明の半導体装置の構成を説明する図。
【図３８】本発明の半導体装置の構成を説明する図。
【図３９】本発明の半導体装置の構成を説明する図。
【図４０】本発明の半導体装置の構成を説明する図。
【図４１】本発明の半導体装置の構成を説明する図。
【図４２】本発明の半導体装置の構成を説明する図。
【図４３】本発明の半導体装置の構成を説明する図。
【図４４】本発明の半導体装置の構成を説明する図。
【図４５】本発明の半導体装置の構成を説明する図。
【図４６】本発明の半導体装置の構成を説明する図。
【図４７】本発明の半導体装置の構成を説明する図。
【図４８】本発明の半導体装置の構成を説明する図。
【図４９】本発明の半導体装置の構成を説明する図。
【図５０】本発明の半導体装置の構成を説明する図。
【図５１】本発明の半導体装置の構成を説明する図。
【図５２】本発明の半導体装置の構成を説明する図。
【図５３】本発明の半導体装置の構成を説明する図。
【図５４】本発明の半導体装置の構成を説明する図。
【図５５】本発明の半導体装置の構成を説明する図。
【図５６】本発明の半導体装置の構成を説明する図。
【図５７】本発明の半導体装置の構成を説明する図。
【図５８】本発明の半導体装置の構成を説明する図。
【図５９】本発明の半導体装置の構成を説明する図。
【図６０】本発明の半導体装置の構成を説明する図。
【図６１】本発明の半導体装置の構成を説明する図。
【図６２】本発明の半導体装置の構成を説明する図。
【図６３】本発明の半導体装置の構成を説明する図。
【図６４】本発明の半導体装置の構成を説明する図。
【図６５】本発明の半導体装置の構成を説明する図。
【図６６】本発明の半導体装置の構成を説明する図。
【図６７】本発明の半導体装置の構成を説明する図。
【図６８】本発明の半導体装置の構成を説明する図。
【図６９】本発明の半導体装置の構成を説明する図。
【図７０】本発明の半導体装置の構成を説明する図。
【図７１】本発明の半導体装置の構成を説明する図。
【図７２】本発明の半導体装置の構成を説明する図。
【図７３】本発明の半導体装置の構成を説明する図。
【図７４】本発明の半導体装置の構成を説明する図。
【図７５】本発明の半導体装置の構成を説明する図。
【図７６】本発明の半導体装置の構成を説明する図。
【図７７】本発明の半導体装置の動作を説明する図。
【図７８】本発明の半導体装置の構成を説明する図。
【図７９】本発明の半導体装置の構成を説明する図。
【図８０】本発明の半導体装置の構成を説明する図。
【図８１】本発明の半導体装置の構成を説明する図。
【図８２】本発明の半導体装置の構成を説明する図。
【図８３】本発明の半導体装置の動作を説明する図。
【図８４】本発明の半導体装置の動作を説明する図。
【図８５】本発明の半導体装置の構成を説明する図。
【図８６】本発明の半導体装置の構成を説明する図。
【図８７】本発明が適用される電子機器を説明する図。
【図８８】本発明の半導体装置の構成を説明する図。
【図８９】本発明の半導体装置の構成を説明する図。
【発明を実施するための形態】
【００３２】
（実施の形態１）
以下、本発明の実施の形態について図面を参照しながら説明する。但し、本発明は多く
の異なる態様で実施することが可能であり、本発明の趣旨及びその範囲から逸脱すること
なくその形態及び詳細を様々に変更し得ることは当業者であれば容易に理解される。従っ
て本実施の形態の記載内容に限定して解釈されるものではない。
【００３３】
本発明は、発光素子に流れる電流値によって発光輝度を制御することが可能な素子で画素
を形成する。代表的にはＥＬ素子を適用することができる。ＥＬ素子の構成としては種々
知られたものがあるが、電流値により発光輝度を制御可能なものであれば、どのような素
子構造であっても本発明に適用することができる。すなわち、発光層、電荷輸送層または
電荷注入層を自由に組み合わせてＥＬ素子を形成するものであり、そのための材料として
、低分子系有機材料、中分子系有機材料（昇華性を有さず、かつ、モノマー単位が２０以
下または連鎖する分子の長さが１０μｍ以下の有機発光材料）や高分子系有機材料を用い
ることができる。また、これらに無機材料を混合または分散させたものを用いても良い。
【００３４】
図１に、全体の構成例を示す。信号線１０２aには、複数の画素１０９aa〜１０９adが
接続されている。同様に、信号線１０２bには、複数の画素１０９ba〜１０９bdが、信号
線１０２cには、複数の画素１０９ca〜１０９cdが接続されている。
【００３５】
信号線１０２aは、電圧制御スイッチ１０４aを介して、ビデオ電圧信号線１０１に接続
され、また、電流制御スイッチ１０５aを介して、電流源回路１０７aと接続されている。
同様に、信号線１０２bは、電圧制御スイッチ１０４bを介して、ビデオ電圧信号線１０１
に接続され、また、電流制御スイッチ１０５bを介して、電流源回路１０７bと接続されて
いる。信号線１０２cの場合も同様である。そして、各電圧制御スイッチ１０４a〜１０４
cは、電圧制御用シフトレジスタ１０３によってサンプリング選択線１０６ａ、１０６ｂ
、１０６ｃを経て制御されている。
【００３６】
次に、図１の動作について述べる。まず、図２に示すように、電圧制御用シフトレジス
タ１０３によって電圧制御スイッチ１０４aをオンにして、ビデオ電圧信号線１０１から
画素１０９aaに、ビデオ信号電圧を入力する。この時のビデオ信号電圧の大きさは、画素
１０９aaの表示に応じた大きさになっているものとする。
【００３７】
ただしこのとき、必ずしも、画素１０９aaに、ビデオ信号電圧が入力されなくてもよい。
信号線１０４aの電位がビデオ信号電圧にまで充電されていればよい。
【００３８】
次に、図３に示すように、電圧制御用シフトレジスタ１０３によって電圧制御スイッチ
１０４bをオンにして、ビデオ電圧信号線１０１から画素１０９baに、ビデオ信号電圧を
入力する。この時のビデオ信号電圧の大きさは、画素１０９baの表示に応じた大きさにな
っているものとする。
【００３９】
次も同様に、図４に示すように、電圧制御用シフトレジスタ１０３によって電圧制御ス
イッチ１０４cをオンにして、ビデオ電圧信号線１０１から画素１０９caに、ビデオ信号
電圧を入力する。
【００４０】
次に、図５に示すように、電流制御スイッチ１０５a〜１０５cをオンにして、電流源回
路１０７a〜１０７cから、画素１０９aa〜１０９caに、ビデオ信号電流を入力する。この
時のビデオ信号電流の大きさは、各画素の表示に応じた大きさになっているものとする。
【００４１】
このとき、図２〜図４に示したように、ビデオ信号電流の入力に先立って、ビデオ信号
電圧が入力されている。したがって、ビデオ信号電圧が入力された時点において、信号線
１０２a〜１０２cの電位は、図５においてビデオ信号電流を入力して定常状態になったと
き（つまり、信号入力が完了したとき）と概ね等しくなっている。しかし、画素１０９aa
〜１０９caの中のトランジスタの電流特性がばらついている場合がある。そのような場合
は、ビデオ信号電圧が入力された時点と、ビデオ信号電流を入力して定常状態になったと
き（つまり、信号入力が完了したとき）とで、信号線１０２a〜１０２cの電位に差が生じ
ている。そこで、図５のように、ビデオ信号電流を入力することにより、画素１０９aa〜
１０９caの中のトランジスタの電流特性のバラツキの影響を低減する。これにより、各画
素の輝度のバラツキを低減し、正確な輝度で表示することが出来るようになる。
【００４２】
つまり、図２〜４の動作は、図５においてビデオ信号電流を入力する前の、プリチャー
ジ動作に相当すると考えることが出来る。図２〜４において、必ずしも、各画素に、ビデ
オ信号電圧が入力されなくてもよいのは、この動作が、プリチャージ動作に相当するから
である。もちろん、図２〜４において、各画素に、ビデオ信号電圧が入力されてもよいこ
とは言うまでもない。
【００４３】
このような動作により、ビデオ信号電流の大きさが小さくても、すばやく、定常状態（
信号入力の完了）にすることが出来る。
【００４４】
また、輝度に合わせて、ビデオ信号電流の大きさは変化する。したがって、それに合わ
せて、ビデオ信号電圧（プリチャージ電圧）の大きさを制御することは、容易ではない。
それを実現するには、多くの回路を用いる必要がある。そのため、レイアウト面積が大き
くなったり、消費電力が多くなったり、製造歩留りが低下してコストが上昇したりしてし
まう。しかし、本願では、ビデオ信号電圧（プリチャージ電圧）は、ビデオ電圧信号線１
０１から、点順次駆動で各画素に供給されるため、ビデオ信号電圧（プリチャージ電圧）
の大きさを制御が容易である。また、回路構成が単純であるため、レイアウト面積が大き
くなったり、消費電力が多くなったり、製造歩留りが低下してコストが上昇したり、等と
いう問題点を回避することができる。
【００４５】
以上のような動作により、１行目の画素１０９aa〜１０９caに対するビデオ信号の入力が
終了する。次に、２行目の画素１０９ab〜１０９cbに対しても、図２〜図５と同様に、信
号を入力していく。以下、同様に、３行目以降もビデオ信号を入力していく。
【００４６】
このように、図２〜５では、１水平期間を２つに分け、前半では、ビデオ信号電圧（プ
リチャージ電圧）を入力し、その後、後半では、ビデオ信号電流を入力している。ただし
、これに限定されない。
【００４７】
例えば、図２の後、図８のように動作させ、次に図９のように動作させて、その後、図
５のように動作させてもよい。つまり、図２〜５のように、ビデオ信号電圧（プリチャー
ジ電圧）を入力する期間と、ビデオ信号電流を入力する期間とを１水平期間の前半と後半
とに分けるのではなく、図２、図８、図９、図５のように、ビデオ信号電圧（プリチャー
ジ電圧）の入力が完了したあと、順次、ビデオ信号電流を入力していってもよい。このよ
うにすることにより、ビデオ信号電流を入力する期間を長く設けることが出来る。ビデオ
信号電流を入力する期間が長いと、十分に信号電流の書き込みを行うことが出来るため、
トランジスタのバラツキの影響をより少なくすることが出来る。
【００４８】
ただし、その場合、ビデオ信号電流を早い順番で入力する列（例えば信号線１０２a）
と、遅い順番で入力する列（例えば信号線１０２c）とで、ビデオ信号電流を入力してい
る期間が異なってしまう。その結果、ビデオ信号電流を入力している期間が短い列（例え
ば信号線１０２c）では、十分に定常状態に達しない可能性がある。そこで、ビデオ信号
電圧やビデオ信号電流を、常に信号線１０２aから順に入力するのではなく、信号線１０
２cから順に入力することも行っても良い。このような順序の変更を、行ごとやフレーム
期間ごとに切り替えて行っても良い。
【００４９】
なお、図１の構成では、ビデオ電圧信号線１０１が１本だけ記載されているが、これに
限定されない。図１０に示すように、ビデオ電圧信号線１０１a、１０１bのように複数本
配置し、同時に複数列の信号線（１０２a、１０２b、１０２ｃなど）に、ビデオ信号電圧
（プリチャージ電圧）を入力してもよい。
【００５０】
なお、図１の構成では、ビデオ電圧信号線１０１と各信号線１０２a、１０２ｂ、１０
２cとは、電圧制御スイッチ１０４a、１０４ｂ、１０４cを介して接続されているが、こ
れに限定されない。例えば、図１１に示すように、電圧制御スイッチ１０４ａと信号線１
０２ａとの間、電圧制御スイッチ１０４ｂと信号線１０２ｂとの間に電圧記憶回路１１０
１a、１１０１bを配置してもよい。電圧記憶回路１１０１a、１１０１bでは、入力された
電圧を出力する機能を有する。また、ある値の電圧を入力されているとき、同時に、以前
入力された電圧を出力するようにしてもよい。このような回路を配置することにより、信
号の入力のタイミングを、より柔軟にすることが出来る。
【００５１】
なお、図１の構成では、画素は、４行３列で配置されているが、これに限定されず、任
意の個数で配置されてよい。
【００５２】
なお、図１の構成では、信号線の数は、３本（信号線１０２a〜１０２c）で記載されて
いるが、これに限定されない。任意の数で配置されてよい。
【００５３】
なお、図１の構成では、各画素から電流源回路１０７aなどの方へ電流が流れるように
記載されているが、これに限定されない。画素の回路構成などにより、電流の向きは変更
可能である。
【００５４】
（実施の形態２）
実施の形態１では、１列分の画素につき、１本の信号線が配置されている場合について
示した。本実施の形態では、１列分の画素につき、複数本の信号線が配置されている場合
について示す。
【００５５】
なお、ここでは簡単のため、１列分の画素につき、２本の信号線が配置され、画素は４
行２列で配置されている場合を示す。ただし、これに限定されない。１列分の画素につき
、任意の本数の信号線が配置されてもよいし、画素は任意の個数だけ配置されてもよい。
【００５６】
実施の形態１で示したように、１列分の画素につき、１本の信号線が配置されている場
合には、１水平期間中に、１列分の信号を画素に入力する必要があった。そのため、例え
ば、１水平期間の前半に、ビデオ信号電圧（プリチャージ電圧）を入力し、後半に、ビデ
オ信号電流を入力していた。そのような場合は、画素にビデオ信号電流を入力する期間が
十分に長くないため、定常状態（信号の入力の完了）に出来ないまま、信号の入力を終了
せざるを得ない場合が起こりうる。
【００５７】
そこで、１列分の画素につき、複数本の信号線を配置することにより、画素にビデオ信号
電流を入力する期間を長くすることができる。
【００５８】
そこで、１列分の画素につき、２本の信号線が配置され、画素は４行２列で配置されてい
る場合の構成図を図１２に示す。１列目の画素には、信号線１２０２aa、１２０２abが配
置され、偶数行の画素が信号線１２０２aaに接続され、奇数行の画素が信号線１２０２ab
に接続されている。これにより、同時に２行分の画素に信号を入力することが出来る。な
お、信号線１２０２ａａ、１２０２ａｂ、１２０２ｂａ、１２０２ｂｂは、それぞれ電圧
制御スイッチ１２０４ａａ、１２０４ａｂ、１２０４ｂａ、１２０４ｂｂを介して、ビデ
オ電圧信号線１０１に接続されている。また、信号線１２０２ａａ、１２０２ａｂは、そ
れぞれ電流制御スイッチ１２０５ａb、１２０５ａａ、を介して、電流源回路１０７ａと
接続されている。同様に、信号線１２０２ｂａ、１２０２ｂｂは、それぞれ電流制御スイ
ッチ１２０５ｂｂ、１２０５ｂａを介して、電流源回路１０７ｂと接続されている。
【００５９】
図１２の場合、１列分の画素につき、２本の信号線が配置されているため、１行分の画素
に対する信号の入力は、２×水平期間、つまり、１水平期間の倍の期間をかけて、完了す
ればよい。そこで、まず、１水平期間をかけて、ビデオ信号電圧（プリチャージ電圧）を
入力する。そして、次の１水平期間をかけて、ビデオ信号電流を入力すればよい。また、
信号線が２本あるため、ある行の画素に対してビデオ信号電圧（プリチャージ電圧）を入
力している時に、同時に、別の行の画素に対してビデオ信号電流を入力することが出来る
。
【００６０】
図１３〜図１６に、動作を示す。図１３、１４では、１行目の画素には、ビデオ信号電流
が入力され、２行目の画素には、ビデオ信号電圧（プリチャージ電圧）が入力される。な
お、図１３の前に、信号線１２０２ab、１２０２bbには、ビデオ信号電圧（プリチャージ
電圧）の入力が済んでいるものとする。次に、図１５、１６のように、２行目の画素にビ
デオ信号電流が入力され、３行目の画素には、ビデオ信号電圧（プリチャージ電圧）が入
力される。既に、２行目の画素には、ビデオ信号電圧（プリチャージ電圧）が入力されて
いるため、ビデオ信号電流の入力においては、すばやく定常状態にすることが出来る。
【００６１】
このような動作を繰り返すことによって、ビデオ信号電流の書き込みを正確に行うことが
出来るようになる。
【００６２】
なお、図１３、１５において、画素１２０９ab、１２０９bbに対して、ビデオ信号電圧（
プリチャージ電圧）が入力されているが、画素１２０９ab、１２０９bbの中に配置されて
いるスイッチ１２１０ab、１２１０bbをオフにすることによって、ビデオ信号電圧（プリ
チャージ電圧）が画素１２０９ab、１２０９bbに入力されていないが、これに限定されな
い。ビデオ信号電圧（プリチャージ電圧）の入力は、各信号線１２０２aa、１２０２ab、
１２０２ba、１２０２bbの電位を制御することが主な目的であるため、ビデオ信号電圧（
プリチャージ電圧）が画素１２０９ab、１２０９bbに入力されていなくてもよいし、入力
されていてもよい。ビデオ信号電圧（プリチャージ電圧）の入力の後、ビデオ信号電流が
入力される場合は、どちらでもよい。もし、ビデオ信号電圧（プリチャージ電圧）の入力
の後、ビデオ信号電流が入力されない場合は、ビデオ信号電圧（プリチャージ電圧）が画
素１２０９ab、１２０９bbに入力されていることが望ましい。
【００６３】
なお、実施の形態１における、図２、８、９、５のように、ビデオ信号電圧（プリチャー
ジ電圧）の入力が完了したあと、順次、ビデオ信号電流を入力していってもよい。ただし
、この場合は、同時に２行に、電流を供給する必要があるので、１列に複数の電流源回路
を配置する必要がある。
【００６４】
なお、本実施の形態で説明した内容は、実施の形態１で説明した構成の一部を変形したも
のに相当する。よって、実施の形態１で説明した内容は、本実施の形態にも適用できる。
【００６５】
したがって、ビデオ電圧信号線１０１と各信号線１２０２aa〜１２０２bbとは、電圧制御
スイッチ１２０４aa〜１２０４bbを介して接続されているが、これに限定されない。例え
ば、図１７に示すように、間に電圧記憶回路１７０２aa〜１７０２bbを配置してもよい。
このような回路を配置することにより、信号の入力のタイミングを、より柔軟にすること
が出来る。
【００６６】
また、本発明は、これに限定されず、その要旨を変更しない範囲であれば様々な変形が可
能である。
【００６７】
なお、本実施の形態で示す構成を、実施の形態１の構成と組み合わせて実施することがで
きる。
【００６８】
（実施の形態３）
本発明では、画素に、ビデオ信号電流を入力する必要がある。つまり、画像情報に応じ
て、電流の大きさをアナログ的に、もしくは、デジタル的に制御し、画素に入力する必要
がある。ビデオ信号電流は、電流源回路から出力される。そこで、本実施の形態では、電
流源回路の構成例を示す。
【００６９】
図１８は、図１の構成図に対して、電流源回路に関連する部分を詳細に記載した場合の構
成図を示す。同様に、図１１の構成図に対して、電流源回路に関連する部分を詳細に記載
した場合の構成図を図１９に示す。なお、図１では、４行３列に画素が配置されている場
合について示しているが、図１８や図１９では、簡単のため、４行２列に画素が配置され
ているものとするが、これに限定されない。
【００７０】
図１８や図１９では、電流源回路１８０７a、１８０７bは、ビデオ電流信号線１８０１に
接続されている。そして、ビデオ電流信号線１８０１を通ってビデオ電流信号が、電流源
回路１８０７a、１８０７bに入力される。その結果、電流源回路１８０７a、１８０７bは
、トランジスタのバラツキの影響を受けずに、信号線１０２a、１０２bへ、ビデオ電流信
号を出力することが出来るようになる。
【００７１】
そして、図１８の場合、電流源回路１８０７a、１８０７bは、電流制御用シフトレジスタ
１８０３によって電流制御線１８０６a、１８０６ｂより制御されている。これにより、
ビデオ電流信号を、電流源回路１８０７a、１８０７bに入力するタイミングが制御される
。
【００７２】
図１８のように、電圧制御スイッチ１０４a、１０４ｂを制御する電圧制御用シフトレジ
スタ１０３と、電流源回路１８０７a、１８０７bを制御する電流制御用シフトレジスタ１
８０３とを、別々に配置することにより、各々のタイミングを独立に制御することが可能
となる。特に、ビデオ電流信号線１８０１を通って電流源回路１８０７a、１８０７bにビ
デオ電流信号を入力する場合は、信号の入力を完了させる（定常状態にさせる）のに時間
がかかる場合がある。その場合は、電圧制御用シフトレジスタ１０３と電流制御用シフト
レジスタ１８０３とを、別々に配置することにより、タイミングを最適化できる。
【００７３】
なお、図１０はビデオ電圧信号線１０１ａ、１０１ｂを配置してある。この図に示すよう
に、ビデオ電圧信号線やビデオ電流信号線を複数配置してもよい。また、図８８にはビデ
オ電圧信号線（１０１）を１本、ビデオ電流信号線を２本（１８０１i、１８０１ｊ）配
置しているように、ビデオ電圧信号線の数とビデオ電流信号線の数とを必ずしも一致させ
なくてもよい。そのような場合、電圧制御用シフトレジスタ１０３と電流制御用シフトレ
ジスタ１８０３とを、別々に配置することにより、タイミングを最適化することができる
。
【００７４】
このように、図１８においては、電圧制御用シフトレジスタ１０３と電流制御用シフトレ
ジスタ１８０３とが、別々に配置されているが、この構成に限定されない。例えば、図２
０に示すように、電圧制御用シフトレジスタ１０３と電流制御用シフトレジスタ１８０３
とを一つにまとめてもよい。例えば図２０の場合は、電圧制御用シフトレジスタ１０３を
用いて、各電圧制御スイッチ１０４a〜１０４bだけでなく、各電流源回路１８０７a、１
８０７bも制御している。
【００７５】
これまでは、電流源回路について、内部の詳細な構成は記載せず、模式図を用いて述べて
きた。そこで、電流源回路１８０７の内部の回路構成例を示す。まず、図２１に、図１８
や図１０から電流源回路部分を抜き出した図を示す。図２１に示すように、電流源回路１
８０７には、少なくとも、電流入力端子２１０２、タイミング制御端子２１０３、電流出
力端子２１０１がある。電流入力端子２１０２は、図１８の場合、ビデオ電流信号線１８
０１に接続され、そこから電流が入力される。タイミング制御端子２１０３は、図１８の
場合、電圧制御用シフトレジスタ１０３や電流制御用シフトレジスタ１８０３と接続され
、そこから、タイミング信号が入力される。電流出力端子２１０１は、図１８の場合、電
流制御スイッチ１０５ａ、１０５ｂを介して、信号線１０４ａ、１０４ｂと接続されてい
る。
【００７６】
図２２は、図２１で示した電流源回路１８０７の具体的な回路構成例を示す。スイッチ２
２０３、２２０４をオン、スイッチ２２０５をオフにして、電流入力端子２１０２を通っ
て、電流源トランジスタ２２０１や保持容量２２０２に電流を入力する。電流の入力が完
了すると、つまり、定常状態になると、保持容量２２０２に、適切な電圧が保存される。
これにより、電流源トランジスタの電流特性がばらついても、その影響を低減できる。そ
して次に、スイッチ２２０３、２２０４をオフ、スイッチ２２０５をオンにする。すると
、電流出力端子２１０１を通って、電流をスイッチ１０５へ出力できるようになる。
【００７７】
なお、電流源回路１８０７を図２２のような構成にした場合は、ビデオ電流信号線１８０
１を通って電流源回路１８０７に入力されるビデオ電流信号と、電流源回路１８０７から
電流出力端子２１０１を通って出力されるビデオ電流信号とでは、その大きさは、概ね等
しい。これは、回路構成に依存している。つまり、ビデオ電流信号線１８０１を通って電
流が入力されるトランジスタと、電流出力端子２１０１を通って電流を出力するトランジ
スタが同一であるため、電流の大きさは概ね等しくなる。
【００７８】
したがって、電流源回路１８０７を図２３のような構成にすると、電流源トランジスタ２
３０１と、ミラートランジスタ２３０６とにおいて、チャネル幅Ｗとチャネル長Ｌとの比
率を変えることによって、電流の大きさを変更することが出来る。この場合は、ビデオ電
流信号線１８０１を通って電流源回路１８０７に入力されるビデオ電流信号と、電流源回
路１８０７から電流出力端子２１０１を通って出力されるビデオ電流信号とでは、その大
きさは、比例関係になる。なお、２３０２は保持容量、２３０３、２３０４はスイッチ、
１０５はスイッチである。
【００７９】
同様に、電流源回路１８０７を図２４のような構成にすれば、スイッチ２４０３、２４０
４をオンにして、電流入力端子２１０２を通って、電流源トランジスタ２４０１や保持容
量２４０２に電流を入力する場合と、スイッチ２４０３、２４０４をオフにして、電流源
トランジスタ２４０１とマルチトランジスタ２４０５とがマルチゲートのトランジスタと
して動作して、電流出力端子２１０１を通って、電流を出力する場合とでは、電流の大き
さを変えることが出来る。この場合も、ビデオ電流信号線１８０１を通って電流源回路１
８０７に入力されるビデオ電流信号と、電流源回路１８０７から電流出力端子２１０１を
通って出力されるビデオ電流信号とでは、その大きさは、比例関係になる。
【００８０】
また同様に、電流源回路１８０７を図２５のような構成にすれば、スイッチ２５０７を制
御することにより、電流源トランジスタ２５０１とマルチトランジスタ２５０６とが、マ
ルチゲートのトランジスタとして動作するかどうかを制御できる。この場合は、スイッチ
２５０７のオンオフのタイミングにより、ビデオ電流信号線１８０１を通って電流源回路
１８０７に入力されるビデオ電流信号と、電流源回路１８０７から電流出力端子２１０１
を通ってスイッチ１０５へ出力されるビデオ電流信号とでは、その大きさは、比例関係に
なる場合と、概ね等しくなる場合とがある。
【００８１】
なお、図２５に示したような電流源回路の動作については、特願２００２-３８０２５
２号出願、特願２００３-０５５０１８号出願などに記載されているので、その内容と本
願とを組み合わせることが出来る。なお、２５０３、２５０４、２５０５、１０５はスイ
ッチである。
【００８２】
なお、図２２〜２５では、電流入力端子２１０２を流れる電流も、電流出力端子２１０
１を流れる電流も、電流源回路の方に電流が流れているが、これに限定されない。電流入
力端子２１０２と電流出力端子２１０１とで、逆方向に電流が流れていてもよい。その場
合の例を、図２６に示す。図２６の場合、電流出力端子２１０１を流れる電流は、電流源
回路の方に電流が流れているが、電流入力端子２１０２を流れる電流は、電流源回路から
別の回路の方に電流が流れている。なお、２６０１はトランジスタ、２２０３、２６０５
、２６０６、２６０７はスイッチである。
【００８３】
なお、図２２〜２６では、電流源として動作するトランジスタの極性は、Ｎチャネル型
であったが、これに限定されない。例として図２２の構成に対して、トランジスタの極性
をＰチャネル型にした場合を図２７に示す。なお、２７０１はＰチャネル型のトランジス
タ、２７０２は保持容量、２７０３、２７０４、２７０５はスイッチである。図２３〜２
６に関しても、同様な概念を適用すれば、トランジスタの極性を変更することが出来る。
【００８４】
また、図２２〜２７では、電流源回路の方に電流が流れているが、これに限定されない
。電流の向きを変更した場合にも、容易に変形できる。例として、図２２の構成に対して
、電流の流れる向きを逆にした場合を図２８に示す。なお、２８０１はＰチャネル型のト
ランジスタ、２８０２は保持容量、２８０３、２８０４、２８０５はスイッチである。こ
のように、電流源として動作するトランジスタの極性を逆にすることにより、回路の接続
関係を変更せずに、対応することが出来る。
【００８５】
また、図２２〜２８では、マルチゲートのトランジスタとして動作する場合は、マルチ
ゲートのトランジスタで１つだと数えれば、電流源回路の中で、電流源として動作してい
るトランジスタは、１つだけであったが、これに限定されず、複数のトランジスタがあっ
てもよい。例として、図２２の構成に対して、電流源として動作しているトランジスタが
２つある場合を図２９に示す。制御線２９０１を制御することにより、図３０に示すよう
に、電流源トランジスタ２２０１bの方にビデオ電流信号線１８０１から電流を入力して
、電流源トランジスタ２２０１aから電流を出力する場合と、図３１に示すように、電流
源トランジスタ２２０１aの方にビデオ電流信号線１８０１から電流を入力して、電流源
トランジスタ２２０１bから電流を出力する場合とで、切り替えることが出来る。このよ
うに、電流源回路の中に、電流源トランジスタを複数配置することにより、ビデオ電流信
号線１８０１から電流を入力する動作と、電流出力端子２１０１を通って電流を出力する
動作とを、同時に行うことが出来る。
【００８６】
なお、電流源回路の中に、電流源トランジスタを複数配置する場合、図２９では、制御
線２９０１を用いて、切り替えて動作させているが、これに限定されない。例えば、複数
の電流源トランジスタの中から、任意で選択された電流源トランジスタを用いて、その合
計電流を電流出力端子２１０１を通って出力するようにしてもよい。
【００８７】
図３２は、図２２の構成において、電流源トランジスタが２つある場合の一例を示す。図
３２では、電流源トランジスタ３２０１aは、ビデオ電流信号線１８０１jから電流が入力
される。一方、電流源トランジスタ３２０１bは、ビデオ電流信号線１８０１iから電流が
入力される。そのため、電流源トランジスタ３２０１aと電流源トランジスタ３２０１bと
では、大きさの異なる電流を出力することが出来る。そして、その電流を電流出力端子２
１０１を通って出力するかどうかは、スイッチ３２０２a、３２０２bなどを用いて制御す
る。さらに、スイッチ３２０２a、３２０２bのオンオフをビデオ信号を用いて制御すれば
、電流出力端子２１０１を通って出力される電流の大きさは、ビデオ信号に応じた大きさ
にすることが出来る。例えば、電流源トランジスタ３２０１aが出力する電流値をI０、電
流源トランジスタ３２０１bが出力する電流値をI０×２とすれば、２ビットの階調を表現
することが可能となる。電流源トランジスタの数をさらに増やし、各々の電流の大きさを
２のべき乗にすれば、さらに多ビットの階調を表現することが出来る。
【００８８】
また、図２９では、電流源トランジスタが並列に配置されていたが、これに限定されな
い。図３３は、電流源トランジスタを直列に配置する場合の例を示す。動作については、
制御線３３０１を制御することにより、図３４に示すように、電流源トランジスタ２２０
１cにビデオ電流信号線１８０１から電流を入力して、電流源トランジスタ２２０１dから
電流を出力する場合と、図３５に示すように、電流源トランジスタ２２０１cから電流源
トランジスタ２２０１dに電流を入力する場合とがある。このように配置することにより
、ビデオ電流信号線１８０１から電流を入力する動作と、電流出力端子２１０１を通って
電流を出力する動作とを、同時に行うことが出来る。
【００８９】
なお、図２２〜３３まで、さまざまな構成の電流源回路を示したが、これに限定されな
い。基本的な構成や電流源トランジスタの数や極性や配置、電流の流れる向きなどに関し
て、各々の構成を組み合わせたり、各々の構成における概念を組み合わせることによって
、さらに別の構成を用いることが出来る。つまり、電流源回路として動作するものであれ
ば、任意の構成を用いることができる。
【００９０】
なお、図２２〜３３まで示した電流源回路の構成に関して、各部分のスイッチの配置や
数、それに伴う接続関係などについて、変形することも容易に出来る。つまり、電流源回
路として正常に動作するのであれば、どこにいくつスイッチがあってもよく、複数のスイ
ッチを１つにまとめたり、接続関係を変形して、スイッチを追加したり削除したりしても
よい。
【００９１】
なお、電流源回路の構成については、国際公開第 ０３/０３８７９３号パンフレット、
国際公開第 ０３/０３８７９４号パンフレット、国際公開第 ０３/０３８７９５号パンフ
レット、国際公開第 ０３/０３８７９６号パンフレット、国際公開第 ０３/０３８７９７
号パンフレットに記載されており、その内容を本発明に適用したり、本発明と組み合わせ
ることが出来る。
【００９２】
なお、本実施の形態で説明した内容は、実施の形態１〜２で説明した構成の一部を詳細に
述べたものに相当する。よって、実施の形態１〜２で説明した内容は、本実施の形態にも
適用できる。
【００９３】
また、本発明は、これに限定されず、その要旨を変更しない範囲であれば様々な変形が可
能である。
【００９４】
なお、本実施の形態で示す構成を、実施の形態１〜２の構成と組み合わせて実施すること
ができる。
【００９５】
（実施の形態４）
図１８などに示すように、画素の表示に応じた大きさのビデオ信号電圧と、画素の表示
に応じた大きさのビデオ信号電流とを供給する必要がある。つまり、ビデオ信号電圧とビ
デオ信号電流とは、相互に関連した大きさとなっている。そこで、本実施の形態では、ビ
デオ信号電圧とビデオ信号電流とを供給する回路について述べる。
【００９６】
まず、全体の構成を図３６に示す。電圧電流供給回路５０１１には、オリジナル信号入
力端子５０１２から信号が入力される。そして、その信号に応じて、電流出力端子５０１
３から信号電流が出力され、電圧出力端子５０１４から信号電圧が出力される。電流出力
端子５０１３と電圧出力端子５０１４は、スイッチ５００１、５００２を介して、被設定
回路５０２１の入力端子５０２２と接続されている。なお、被設定回路５０２１とは、電
圧電流供給回路５０１１によって電流を設定される回路を指す。
【００９７】
被設定回路５０２１は、電圧電流供給回路５０１１の電圧出力端子５０１４から供給さ
れる信号電圧を使って、プリチャージされ、その後、電圧電流供給回路５０１１の電流出
力端子５０１３から供給される信号電流を使って、電流設定される。その結果、被設定回
路５０２１は、それを構成するトランジスタの電流特性のバラツキの影響をほとんど受け
ずに、正確な電流を供給できるようになる。
【００９８】
なお、電圧電流供給回路５０１１の電圧出力端子５０１４から供給される信号電圧は、
電圧電流供給回路５０１１の電流出力端子５０１３から信号電流が供給されて、定常状態
になったとき、つまり、信号の書き込みが完了したときと、概ね等しい電圧値になってい
る。したがって、電圧出力端子５０１４から信号電圧を供給して、プリチャージすること
により、その後、電圧電流供給回路５０１１の電流出力端子５０１３から信号電流が供給
されたとき、すばやく定常状態にすることが出来る。
【００９９】
すなわち、電圧電流供給回路５０１１の電圧出力端子５０１４から供給される信号電圧
の大きさと、電圧電流供給回路５０１１の電流出力端子５０１３から供給される信号電流
の大きさとは、互いに、関連した大きさとなっている。
【０１００】
なお、電圧電流供給回路５０１１の電流出力端子５０１３から、被設定回路５０２１の
入力端子５０２２へ、電流を供給する場合、電流の向きに注意する必要がある。つまり、
電圧電流供給回路５０１１から外へ電流が流れていく場合（吐き出しタイプと呼ぶことに
する）は、被設定回路５０２１では、中へ電流が流れ込む（吸い込みタイプと呼ぶことに
する）ようにしておく必要がある。この場合は、電圧電流供給回路５０１１の方が電位が
高く、電圧電流供給回路５０１１から被設定回路５０２１の方へ電流が流れることになる
。また、電圧電流供給回路５０１１から中へ電流が流れ込む場合（吸い込みタイプの場合
）は、被設定回路５０２１では、外へ電流が流れていく（吐き出しタイプの場合）ように
しておく必要がある。この場合は、電圧電流供給回路５０１１の方が電位が低く、被設定
回路５０２１から電圧電流供給回路５０１１の方へ電流が流れることになる。
【０１０１】
電圧電流供給回路５０１１も被設定回路５０２１も両方が、吸い込みタイプや吐き出し
タイプの場合は、電流の流れが正常ではないため、正常に動作しない。よって、電圧電流
供給回路５０１１と被設定回路５０２１とについて、吸い込みタイプか吐き出しタイプか
を調節しておく必要がある。
【０１０２】
まず、被設定回路５０２１の構成について、簡単に述べる。図３７、３８に、吐き出し
タイプの場合の被設定回路５０２１の構成例を示す。図３７では、電流源として動作する
ことになるトランジスタ３７０１がＰチャネル型の場合を示しており、図３８では、Ｎチ
ャネル型の場合を示している。
【０１０３】
なお、容量素子３７０３、３８０３は、トランジスタ３７０１、３８０１のゲート・ソ
ース間電圧を保持する機能を果たす。ただし、トランジスタ３７０１、３８０１のゲート
容量などにより、省略することも可能である。
【０１０４】
なお、図３８では、トランジスタ３８０１のソース端子は、被設定回路５０２１の入力
端子５０２２に接続されており、定電位線に接続されていない。そのため、トランジスタ
３８０１のソース電位は、動作状態によって、変化する可能性がある。したがって、トラ
ンジスタ３８０１のソース電位が変化しても、トランジスタ３８０１のゲート・ソース間
電圧が変化しないようにするため、端子３８０５は、トランジスタ３８０１のソース端子
に接続することが望ましい。また、トランジスタ３８０１のゲート端子とドレイン端子を
接続させておいてもよい。
【０１０５】
なお、被設定回路５０２１のトランジスタは、電圧電流供給回路５０１１から供給され
る信号を用いて、所定の電流を供給することが出来るように、つまり、電流設定されるこ
とになる。そして、被設定回路５０２１のトランジスタは、別の回路や素子などに、所定
の電流を供給し、電流源として動作することになる。しかし、図３７、３８では、簡単の
ため、被設定回路５０２１のトランジスタ（トランジスタ３７０１、３８０１）が、電流
設定された後に、電流を供給する別の回路や素子などは、記載していない。
【０１０６】
また、容量素子３７０３、３８０３の電荷を保持するため、スイッチを設ける場合が多い
が、図３７、３８では、簡単のため、記載していない。
【０１０７】
つまり、図３７、３８では、簡単のため、電圧電流供給回路５０１１から信号が供給され
て、電流設定される状態における被設定回路５０２１の構成を示している。
【０１０８】
図３９、４０に、吸い込みタイプの場合の被設定回路５０２１の構成例を示す。図４０
では、電流源として動作することになるトランジスタ４００１がＰチャネル型の場合を示
しており、図３９では、トランジスタ３９０１がＮチャネル型の場合を示しており、図３
７、３８と同様に考えることが出来る。
【０１０９】
次に、図３６における電圧電流供給回路５０１１の例を示す。電圧電流供給回路５０１
１の場合も、電流を出力する部分に関しては、吸い込みタイプか吐き出しタイプかによっ
て、構成が変わってくる。また、電圧を出力する部分に関しては、被設定回路５０２１の
構成によって変わってくる。つまり、電圧電流供給回路５０１１の電圧出力端子５０１４
から供給される信号電圧は、電流出力端子５０１３から信号電流が被設定回路５０２１に
供給され、定常状態になったときの電圧、つまり、信号の書き込みが完了した時の電圧と
、概ね等しくなっている必要がある。そのため、被設定回路５０２１が吸い込みタイプか
吐き出しタイプか、また、トランジスタの極性はＮチャネル型かＰチャネル型か、チャネ
ル幅Ｗとチャネル長Ｌの比率、などに合わせて、電圧電流供給回路５０１１の電圧出力端
子５０１４から供給される信号電圧の大きさを制御する必要がある。
【０１１０】
また、電圧電流供給回路５０１１のオリジナル信号入力端子５０１２には、信号として
電圧を供給してもよいし、電流を供給してもよい。そこから供給された信号に基づいて、
電流出力端子５０１３から信号電流を供給し、電圧出力端子５０１４から信号電圧を供給
する。
【０１１１】
一例として、被設定回路５０２１が、吸い込みタイプで、トランジスタ３９０１がＮチャ
ネル型である、図３９の構成を持つ電圧電流供給回路５０１１について述べる。なお、こ
こでは図３９の構成を持つ場合を示しているが、図４０の構成を持っていても構わない。
図４１に構成を示す。
【０１１２】
オリジナル信号入力端子５０１２からは、電圧が入力される。そして、オリジナル信号入
力端子５０１２は、トランジスタ４１０１のゲート端子に接続されているため、オリジナ
ル信号入力端子５０１２の電位によって、トランジスタ４１０１のゲート・ソース間電圧
が変化し、端子４１０２からトランジスタ４１０１に流れる電流量が変化する。トランジ
スタ４１０３は、トランジスタ４１０１と直列に接続されているため、トランジスタ４１
０１と同量の電流が流れる。トランジスタ４１０３のゲート端子とドレイン端子が接続さ
れており、この接続されている部分にトランジスタ４１０５のゲート端子も接続されてい
る。また、図４１に示すように、トランジスタ４１０３とトランジスタ４１０５のソース
端子またはドレイン端子は、端子４１０４を通して直列に接続されている。したがって、
電流出力端子５０１３からは、トランジスタ４１０５のチャネル幅Ｗとチャネル長Ｌの比
率Ｗ１１／Ｌ１１と、トランジスタ４１０３のチャネル幅Ｗとチャネル長Ｌの比率Ｗ１２
／Ｌ１２との比率に応じた電流が出力される。ここで、(Ｗ１２／Ｌ１２)＝α×(Ｗ１１
／Ｌ１１)とする。すると、電流出力端子５０１３からは、トランジスタ４１０１（トラ
ンジスタ４１０３）に流れる電流のα倍の電流が流れることになる。
【０１１３】
そして、トランジスタ４１０１のゲート電位が、電圧出力端子５０１４へ出力される。
なお、オリジナル信号入力端子５０１２から電圧出力端子５０１４までの間に、電圧フォ
ロワ回路のような増幅回路などを配置してもよい。
【０１１４】
したがって、被設定回路５０２１の図３９におけるトランジスタ３９０１には、電流出
力端子５０１３から出力された電流が流れる。ここで、トランジスタ４１０１のチャネル
幅Ｗとチャネル長Ｌの比率Ｗ１３／Ｌ１３と、トランジスタ３９０１のチャネル幅Ｗとチ
ャネル長Ｌの比率Ｗ２１／Ｌ２１とを調節しておけば、電圧電流供給回路５０１１の電圧
出力端子５０１４から供給される信号電圧が、電圧電流供給回路５０１１の電流出力端子
５０１３から信号電流が供給されて、定常状態になったとき、つまり、信号の書き込みが
完了したときと、概ね等しい電圧値になる。つまり、(Ｗ２１／Ｌ２１)＝α×(Ｗ１３／
Ｌ１３)とすればよい。すると、トランジスタ４１０１のゲート・ソース間電圧と、トラ
ンジスタ３９０１のゲート・ソース間電圧とが、概ね等しくなり、電圧出力端子５０１４
から信号電圧を供給することが、プリチャージしていることと概ね等しくなる。よって、
プリチャージの後、電圧電流供給回路５０１１の電流出力端子５０１３から信号電流が供
給されたとき、すばやく定常状態にすることが出来る。
【０１１５】
図４１では、オリジナル信号入力端子５０１２は、Ｎチャネル型トランジスタのゲート
端子に接続されていた。次に、オリジナル信号入力端子５０１２が、Ｐチャネル型トラン
ジスタのゲート端子に接続されている場合の構成を図４２に示す。オリジナル信号入力端
子５０１２は、トランジスタ５１０１のゲート端子に接続されているため、オリジナル信
号入力端子５０１２の電位によって、トランジスタ５１０１のゲート・ソース間電圧が変
化し、トランジスタ５１０１に流れる電流量が変化し、その電流が電流出力端子５０１３
から出力される。一方、トランジスタ６４０１のゲート端子は、トランジスタ５１０１の
ゲート端子に接続されている。ここで、トランジスタ５１０１のチャネル幅Ｗとチャネル
長Ｌの比率Ｗ３１／Ｌ３１と、トランジスタ６４０１のチャネル幅Ｗとチャネル長Ｌの比
率Ｗ３２／Ｌ３２とし、(Ｗ３２／Ｌ３２)＝β×(Ｗ３１／Ｌ３１)とすると、トランジス
タ６４０１やトランジスタ６４０２には、トランジスタ５１０１に流れる電流のβ倍の電
流が流れることになる。
【０１１６】
そして、トランジスタ６４０２のゲート電位が、増幅回路５３０１を介して、電圧出力
端子５０１４へ出力される。なお、増幅回路５３０１は、入力電位と概ね等しい電位を出
力するような回路であり、電圧フォロワ回路などが望ましい。ただし、これに限定されず
、インピーダンスを変換するような機能を果たせばよい。なお、トランジスタ６４０２の
ゲート端子やドレイン端子から、十分多くの電荷が供給され、インピーダンス変換を行う
必要が無い場合は、増幅回路５３０１を省略してもよい。
【０１１７】
ここで、トランジスタ６４０２のチャネル幅Ｗとチャネル長Ｌの比率Ｗ３３／Ｌ３３と、
図３９におけるトランジスタ３９０１のチャネル幅Ｗとチャネル長Ｌの比率Ｗ２１／Ｌ２
１とを調節しておけば、電圧電流供給回路５０１１の電圧出力端子５０１４から供給され
る信号電圧が、電圧電流供給回路５０１１の電流出力端子５０１３から信号電流が供給さ
れて、定常状態になったとき、つまり、信号の書き込みが完了したときと、概ね等しい電
圧値になる。つまり、(Ｗ２１／Ｌ２１)＝(Ｗ３３／Ｌ３３)／βとすればよい。すると、
トランジスタ６４０２のゲート・ソース間電圧と、トランジスタ３９０１のゲート・ソー
ス間電圧とが、概ね等しくなり、電圧出力端子５０１４から信号電圧を供給することが、
プリチャージしていることと概ね等しくなる。よって、プリチャージの後、電圧電流供給
回路５０１１の電流出力端子５０１３から信号電流が供給されたとき、すばやく定常状態
にすることが出来る。
【０１１８】
図４１、４２では、オリジナル信号入力端子５０１２には、信号として電圧が入力され
ていた。次に、オリジナル信号入力端子５０１２に電流を入力する場合の構成を示す。
【０１１９】
図４３は、Ｐチャネル型トランジスタ４３０１に電流を入力する場合を示す。図４３は、
図４２の構成に、Ｐチャネル型トランジスタ４３０１を追加した形になる。つまり、図４
２では、トランジスタ５１０１のゲート電位を、オリジナル信号入力端子５０１２を介し
て、直接制御していた。一方、図４３では、Ｐチャネル型トランジスタ４３０１に電流を
流すことによって、トランジスタ５１０１のゲート電位を制御している。それ以外の部分
については、図４３は、図４２と同様なので、説明を省略する。
【０１２０】
次に、図４４は、Ｎチャネル型トランジスタ４４０１に電流を入力する場合を示す。図
４４は、図４１の構成に、Ｎチャネル型トランジスタ４４０１を追加した形になる。図４
１の構成では、トランジスタ４１０１のゲート電位を、オリジナル信号入力端子５０１２
を介して、直接制御していた。
一方、図４４では、Ｎチャネル型トランジスタ４４０１に電流を流すことによって、トラ
ンジスタ４１０１のゲート電位を制御している。つまり、トランジスタ４１０１のゲート
端子は、トランジスタ４４０１のゲート端子に接続され、トランジスタ４１０３のゲート
端子は、トランジスタ４１０５のゲート端子に接続されている。したがって、トランジス
タ４４０１に流れる電流に応じた電流が、トランジスタ４１０１とトランジスタ４１０３
とトランジスタ４１０５に流れる。
【０１２１】
ここで、トランジスタ４４０１のチャネル幅Ｗとチャネル長Ｌの比率Ｗ５１／Ｌ５１、ト
ランジスタ４１０１のチャネル幅Ｗとチャネル長Ｌの比率Ｗ５２／Ｌ５２、トランジスタ
４１０３のチャネル幅Ｗとチャネル長Ｌの比率Ｗ５３／Ｌ５３、トランジスタ４１０５の
チャネル幅Ｗとチャネル長Ｌの比率Ｗ５４／Ｌ５４として、(Ｗ５１／Ｌ５１)＝(Ｗ５２
／Ｌ５２)／ε、(Ｗ５３／Ｌ５３)＝(Ｗ５４／Ｌ５４)／ζとする。すると、トランジス
タ４１０１、４１０３には、トランジスタ４４０１に流れる電流のε倍の電流が流れるこ
とになる。また、トランジスタ４１０５には、トランジスタ４１０３に流れる電流のζ倍
の電流が流れることになる。
【０１２２】
そして、トランジスタ４４０１のゲート電位が、増幅回路５３０１を介して、電圧出力
端子５０１４へ出力される。ただし、これに限定されず、インピーダンス変換を行う必要
が無い場合などは、増幅回路５３０１を省略してもよい。
【０１２３】
ここで、トランジスタ４４０１のチャネル幅Ｗとチャネル長Ｌの比率Ｗ５１／Ｌ５１、ト
ランジスタ４１０１のチャネル幅Ｗとチャネル長Ｌの比率Ｗ５２／Ｌ５２、トランジスタ
４１０３のチャネル幅Ｗとチャネル長Ｌの比率Ｗ５３／Ｌ５３、トランジスタ４１０５の
チャネル幅Ｗとチャネル長Ｌの比率Ｗ５４／Ｌ５４と、図３９におけるトランジスタ３９
０１のチャネル幅Ｗとチャネル長Ｌの比率Ｗ２１／Ｌ２１とを調節しておけば、電圧電流
供給回路５０１１の電圧出力端子５０１４から供給される信号電圧が、電圧電流供給回路
５０１１の電流出力端子５０１３から信号電流が供給されて、定常状態になったとき、つ
まり、信号の書き込みが完了したときと、概ね等しい電圧値になる。つまり、(Ｗ２１／
Ｌ２１)＝(Ｗ５１／Ｌ５１)×ε×ζとすればよい。すると、トランジスタ４４０１のゲ
ート・ソース間電圧と、トランジスタ３９０１のゲート・ソース間電圧とが、概ね等しく
なり、電圧出力端子５０１４から信号電圧を供給することが、プリチャージしていること
と概ね等しくなる。よって、プリチャージの後、電圧電流供給回路５０１１の電流出力端
子５０１３から信号電流が供給されたとき、すばやく定常状態にすることが出来る。
【０１２４】
次に、被設定回路５０２１が、吸い込みタイプで、トランジスタ４００１がＰチャネル
型である、図４０の構成の場合の電圧電流供給回路５０１１について述べる。なお、簡単
のため、図４０において、端子３９０２と３９０４は接続され、端子４００５は、被設定
回路５０２１の入力端子５０２２（トランジスタ４００１のソース端子）に接続されてい
るものとする。
【０１２５】
この場合、被設定回路５０２１のトランジスタ４００１のソース端子は、被設定回路５
０２１の入力端子５０２２に接続されている。したがって、トランジスタ４００１のソー
ス電位が、状態によって変化する。つまり、電圧電流供給回路５０１１の電流出力端子５
０１３から信号電流が供給されて、定常状態になったとき、つまり、信号の書き込みが完
了したとき、被設定回路５０２１の入力端子５０２２の電位は、トランジスタ４００１の
ソース端子が定常状態になったときの電位である。したがって、電圧電流供給回路５０１
１の電圧出力端子５０１４から供給される信号電圧の大きさは、定常状態になったときの
トランジスタ４００１のソース電位の大きさにする必要がある。
【０１２６】
図４５に、オリジナル信号入力端子５０１２に電圧を入力する場合で、オリジナル信号
入力端子５０１２が、Ｐチャネル型のトランジスタ５１０１のゲート端子に接続されてい
る場合の構成を示す。
【０１２７】
図４５は、図４２におけるトランジスタ６４０２を、Ｎチャネル型から、Ｐチャネル型
のトランジスタ４５０２に変更したものに相当する。つまり、トランジスタ５１０１のゲ
ート端子は、トランジスタ６４０１のゲート端子とに接続されている。したがって、トラ
ンジスタ５１０１に流れる電流に応じた電流が、トランジスタ６４０１とトランジスタ４
５０２に流れる。ここで、トランジスタ５１０１のチャネル幅Ｗとチャネル長Ｌの比率Ｗ
６１／Ｌ６１、トランジスタ６４０１のチャネル幅Ｗとチャネル長Ｌの比率Ｗ６２／Ｌ６
２、トランジスタ４５０２のチャネル幅Ｗとチャネル長Ｌの比率Ｗ６３／Ｌ６３として、
(Ｗ６１／Ｌ６１)＝(Ｗ６２／Ｌ６２)／ηとする。すると、トランジスタ６４０１には、
トランジスタ５１０１に流れる電流のη倍の電流が流れることになる。
【０１２８】
そして、トランジスタ４５０２のソース電位が、増幅回路５３０１を介して、電圧出力
端子５０１４へ出力される。ただし、これに限定されず、インピーダンス変換を行う必要
が無い場合などは、増幅回路５３０１を省略してもよい。
【０１２９】
ここで、トランジスタ５１０１のチャネル幅Ｗとチャネル長Ｌの比率Ｗ６１／Ｌ６１、ト
ランジスタ６４０１のチャネル幅Ｗとチャネル長Ｌの比率Ｗ６２／Ｌ６２、トランジスタ
４５０２のチャネル幅Ｗとチャネル長Ｌの比率Ｗ６３／Ｌ６３と、図４０におけるトラン
ジスタ４００１のチャネル幅Ｗとチャネル長Ｌの比率Ｗ２２／Ｌ２２とを調節しておけば
、電圧電流供給回路５０１１の電圧出力端子５０１４から供給される信号電圧が、電圧電
流供給回路５０１１の電流出力端子５０１３から信号電流が供給されて、定常状態になっ
たとき、つまり、信号の書き込みが完了したときと、概ね等しい電圧値になる。つまり、
(Ｗ２２／Ｌ２２)＝(Ｗ６３／Ｌ６３)／ηとすればよい。すると、トランジスタ４５０２
のゲート・ソース間電圧と、トランジスタ４００１のゲート・ソース間電圧とが、概ね等
しくなり、電圧出力端子５０１４から信号電圧を供給することが、プリチャージしている
ことと概ね等しくなる。よって、プリチャージの後、電圧電流供給回路５０１１の電流出
力端子５０１３から信号電流が供給されたとき、すばやく定常状態にすることが出来る。
【０１３０】
次に、図４６に、オリジナル信号入力端子５０１２に電圧を入力する場合で、オリジナ
ル信号入力端子５０１２が、Ｎチャネル型トランジスタ４１０１のゲート端子に接続され
ている場合の構成を示す。
【０１３１】
図４６は、図４１の構成に、トランジスタ４６０１、４６０２を追加したものに相当す
る。つまり、トランジスタ４１０３のゲート端子は、トランジスタ４６０１のゲート端子
とトランジスタ４１０５のゲート端子とに接続されている。したがって、トランジスタ４
１０１に流れる電流に応じた電流が、トランジスタ４６０１とトランジスタ４1０５に流
れる。ここで、トランジスタ４１０３のチャネル幅Ｗとチャネル長Ｌの比率Ｗ７１／Ｌ７
１、トランジスタ４６０１のチャネル幅Ｗとチャネル長Ｌの比率Ｗ７２／Ｌ７２、トラン
ジスタ４１０５のチャネル幅Ｗとチャネル長Ｌの比率Ｗ７３／Ｌ７３として、(Ｗ７１／
Ｌ７１)＝(Ｗ７２／Ｌ７２)／θ＝(Ｗ７３／Ｌ７３)／ιとする。すると、トランジスタ
４６０１には、トランジスタ４１０３に流れる電流のθ倍の電流が流れ、トランジスタ４
１０５には、トランジスタ４１０３に流れる電流のι倍の電流が流れることになる。
【０１３２】
そして、トランジスタ４６０２のソース電位が、増幅回路５３０１を介して、電圧出力
端子５０１４へ出力される。ただし、これに限定されず、インピーダンス変換を行う必要
が無い場合などは、増幅回路５３０１を省略してもよい。
【０１３３】
ここで、トランジスタ４１０３のチャネル幅Ｗとチャネル長Ｌの比率Ｗ７１／Ｌ７１、
トランジスタ４６０１のチャネル幅Ｗとチャネル長Ｌの比率Ｗ７２／Ｌ７２、トランジス
タ４１０５のチャネル幅Ｗとチャネル長Ｌの比率Ｗ７３／Ｌ７３、トランジスタ４６０２
のチャネル幅Ｗとチャネル長Ｌの比率Ｗ７４／Ｌ７４と、図４０におけるトランジスタ４
００１のチャネル幅Ｗとチャネル長Ｌの比率Ｗ２２／Ｌ２２とを調節しておけば、電圧電
流供給回路５０１１の電圧出力端子５０１４から供給される信号電圧が、電圧電流供給回
路５０１１の電流出力端子５０１３から信号電流が供給されて、定常状態になったとき、
つまり、信号の書き込みが完了したときと、概ね等しい電圧値になる。つまり、(Ｗ２２
／Ｌ２２)＝(Ｗ７４／Ｌ７４)×ι／θとすればよい。すると、トランジスタ４６０２の
ゲート・ソース間電圧と、トランジスタ４００１のゲート・ソース間電圧とが、概ね等し
くなり、電圧出力端子５０１４から信号電圧を供給することが、プリチャージしているこ
とと概ね等しくなる。よって、プリチャージの後、電圧電流供給回路５０１１の電流出力
端子５０１３から信号電流が供給されたとき、すばやく定常状態にすることが出来る。
【０１３４】
図４７、４８は、オリジナル信号入力端子５０１２に電流を入力する場合場合の構成を
示す。図４７は、図４５にトランジスタ４７０１を追加して、電流を入力できるようにし
たものに相当し、図４８は、図４６にトランジスタ４８０１を追加して、電流を入力でき
るようにしたものに相当する。
【０１３５】
このように、図４１〜図４８までは、電圧電流供給回路５０１１が吐き出しタイプの場
合について述べてきた。しかし、被設定回路５０２１が図３７や図３８のように吐き出し
タイプである場合、電圧電流供給回路５０１１を吸い込みタイプにする必要がある。ただ
し、吐き出しタイプの構成から吸い込みタイプの構成へ変更する場合は、トランジスタの
極性を変更するだけでよい。例えば、図４１を吸い込みタイプに変更した場合の構成を図
４９に示す。このように、各トランジスタの極性を逆にし、各配線の電位を変更すればよ
い。
【０１３６】
（実施の形態５）
実施の形態４では、電圧電流供給回路５０１１と被設定回路５０２１とが、そのまま接
続されていた。本実施の形態では、図５０に示すように、電圧電流供給回路５０１１と被
設定回路５０２１との間に電流記憶回路５０３１が挿入されている場合について述べる。
【０１３７】
図５０に示すように、電圧電流供給回路５０１１の電流出力端子５０１３から信号電流
が電流記憶回路５０３１に出力され、電流記憶回路５０３１において、電流設定が行われ
、電流値が記憶される。そのとき、電圧電流供給回路５０１１の電圧出力端子５０１４か
ら、信号電圧が被設定回路５０２１に出力される。そのため、被設定回路５０２１では、
プリチャージが行われることになる。その後、電流記憶回路５０３１から被設定回路５０
２１へ信号電流が出力され、被設定回路５０２１において電流が設定される。なお、電流
記憶回路５０３１から被設定回路５０２１へ出力される電流の大きさは、電圧電流供給回
路５０１１の電流出力端子５０１３から電流記憶回路５０３１に出力される電流の大きさ
と比例関係にある。あるいは、電流記憶回路５０３１の構成によっては、概ね等しくなる
。
【０１３８】
なお、図３６のビデオ信号電圧とビデオ信号電流とを供給する回路の構成を用いる場合
は、電圧電流供給回路５０１１と被設定回路５０２１とが、各々、どちらが吸い込みタイ
プであり、どちらが吐き出しタイプであるかを調整しておく必要があった。図５０の構成
の場合、電圧電流供給回路５０１１と被設定回路５０２１のタイプだけでなく、電流記憶
回路５０３１のタイプも合わせて考慮する必要がある。
【０１３９】
まず、電圧電流供給回路５０１１の電流出力端子５０１３から電流記憶回路５０３１へ電
流が入力される時と、電流記憶回路５０３１から被設定回路５０２１へ電流を出力する場
合とで、電流記憶回路５０３１が同じタイプである場合について考える。例えば、電流記
憶回路５０３１が吐き出しタイプの場合、電圧電流供給回路５０１１も被設定回路５０２
１も吸い込みタイプにする必要がある。逆に、電流記憶回路５０３１が吸い込みタイプの
場合、電圧電流供給回路５０１１も被設定回路５０２１も吐き出しタイプにする必要があ
る。つまり、電圧電流供給回路５０１１と被設定回路５０２１とは、同じタイプにする必
要がある。
【０１４０】
次に、電圧電流供給回路５０１１の電流出力端子５０１３から電流記憶回路５０３１へ
電流が入力される時と、電流記憶回路５０３１から被設定回路５０２１へ電流を出力する
場合とで、電流記憶回路５０３１が逆のタイプである場合について考える。例えば、電圧
電流供給回路５０１１から電流記憶回路５０３１へ入力されるときに吐き出しタイプで、
電流記憶回路５０３１から被設定回路５０２１へ電流を出力する時に吸い込みタイプの場
合、電圧電流供給回路５０１１は吸い込みタイプであり、被設定回路５０２１は吐き出し
タイプにする必要がある。逆に、電圧電流供給回路５０１１から電流記憶回路５０３１へ
入力されるときに吸い込みタイプで、電流記憶回路５０３１から被設定回路５０２１へ電
流を出力する時に吐き出しタイプの場合、電圧電流供給回路５０１１は吐き出しタイプで
あり、被設定回路５０２１は吸い込みタイプにする必要がある。つまり、電圧電流供給回
路５０１１と被設定回路５０２１とは、逆のタイプにする必要がある。
【０１４１】
そこでまず、電圧電流供給回路５０１１も被設定回路５０２１も吐き出しタイプの場合
において、電圧電流供給回路５０１１の構成について述べる。なお、電圧電流供給回路５
０１１から電流記憶回路５０３１へ入力される時の電流の大きさをＩ1、電流記憶回路５
０３１から被設定回路５０２１へ出力される時の電流の大きさをＩ2とするとき、Ｉ2＝Ｉ
1×κであるとする。
【０１４２】
まず、被設定回路５０２１は、吐き出しタイプであり、図３７の構成と同様に、Ｐチャネ
ル型のトランジスタ３７０１が用いられているとする。その場合の電圧電流供給回路５０
１１の構成の例を図５１に示す。
【０１４３】
図５１において、オリジナル信号入力端子５０１２からは、電圧が入力される。そして、
オリジナル信号入力端子５０１２は、トランジスタ５１０１のゲート端子に接続されてい
るため、オリジナル信号入力端子５０１２の電位によって、トランジスタ５１０１のゲー
ト・ソース間電圧が変化し、トランジスタ５１０１に流れる電流量が変化する。
【０１４４】
そして、被設定回路５０２１のトランジスタ３７０１には、電流記憶回路５０３１から
出力された電流が流れる。電流記憶回路５０３１から被設定回路５０２１へ出力された電
流は、電圧電流供給回路５０１１から電流記憶回路５０３１へ入力された電流のκ倍の大
きさである。
【０１４５】
そして、トランジスタ５１０１のゲート電位が、電圧出力端子５０１４へ出力される。
なお、オリジナル信号入力端子５０１２から電圧出力端子５０１４までの間に、電圧フォ
ロワ回路のような増幅回路などを配置してもよい。
【０１４６】
ここで、トランジスタ５１０１のチャネル幅Ｗとチャネル長Ｌの比率Ｗ８１／Ｌ８２と、
トランジスタ３７０１のチャネル幅Ｗとチャネル長Ｌの比率Ｗ２３／Ｌ２３とを調節して
おけば、電圧電流供給回路５０１１の電圧出力端子５０１４から供給される信号電圧が、
電流記憶回路５０３１から被設定回路５０２１へ信号電流が供給されて、定常状態になっ
たとき、つまり、信号の書き込みが完了したときと、概ね等しい電圧値になる。つまり、
(Ｗ２３／Ｌ２３)＝κ×(Ｗ８２／Ｌ８２)とすればよい。すると、トランジスタ５１０１
のゲート・ソース間電圧と、トランジスタ３７０１のゲート・ソース間電圧とが、概ね等
しくなり、電圧出力端子５０１４から信号電圧を供給することが、プリチャージしている
ことと概ね等しくなる。よって、プリチャージの後、電流記憶回路５０３１の電流出力端
子５０３３から信号電流が供給されたとき、すばやく定常状態にすることが出来る。
【０１４７】
次に、図５１では、オリジナル信号入力端子５０１２は、Ｐチャネル型トランジスタの
ゲート端子に接続されていたが、オリジナル信号入力端子５０１２が、Ｎチャネル型トラ
ンジスタのゲート端子に接続されている場合の構成を図５２に示す。
【０１４８】
図５２において、オリジナル信号入力端子５０１２は、トランジスタ４１０１のゲート端
子に接続されているため、オリジナル信号入力端子５０１２の電位によって、トランジス
タ４１０１のゲート・ソース間電圧が変化し、端子４１０２からトランジスタ４１０１に
流れる電流量が変化する。したがって、トランジスタ４１０１に流れる電流に応じた電流
が、トランジスタ４１０３とトランジスタ４１０５に流れる。一方、トランジスタ４１０
５のゲート端子は、トランジスタ４１０３のゲート端子に接続されている。また、トラン
ジスタ４１０３およびトランジスタ４１０５のソース端子またはドレイン端子は、端子４
１０４によって接続されている。ここで、トランジスタ４１０３のチャネル幅Ｗとチャネ
ル長Ｌの比率Ｗ９１／Ｌ９１と、トランジスタ４１０５のチャネル幅Ｗとチャネル長Ｌの
比率Ｗ９２／Ｌ９２とし、(Ｗ９２／Ｌ９２)＝λ×(Ｗ９２／Ｌ９２)とすると、トランジ
スタ４１０５には、トランジスタ４１０１やトランジスタ４１０３に流れる電流のλ倍の
電流が流れることになる。
【０１４９】
そして、トランジスタ４１０５のゲート電位が、増幅回路５３０１を介して、電圧出力
端子５０１４へ出力される。ただし、これに限定されず、インピーダンス変換を行う必要
が無い場合などは、増幅回路５３０１を省略してもよい。
【０１５０】
ここで、トランジスタ４１０３のチャネル幅Ｗとチャネル長Ｌの比率Ｗ９１／Ｌ９１、ト
ランジスタ４１０５のチャネル幅Ｗとチャネル長Ｌの比率Ｗ９２／Ｌ９２と、図３７にお
けるトランジスタ３９０１のチャネル幅Ｗとチャネル長Ｌの比率Ｗ２３／Ｌ２３とを調節
しておけば、電圧電流供給回路５０１１の電圧出力端子５０１４から供給される信号電圧
が、電圧電流供給回路５０１１の電流出力端子５０１３から信号電流が供給されて、定常
状態になったとき、つまり、信号の書き込みが完了したときと、概ね等しい電圧値になる
。つまり、(Ｗ２３／Ｌ２３)＝λ×(Ｗ９１／Ｌ９１)とすればよい。すると、トランジス
タ４１０５のゲート・ソース間電圧と、トランジスタ３７０１のゲート・ソース間電圧と
が、概ね等しくなり、電圧出力端子５０１４から信号電圧を供給することが、プリチャー
ジしていることと概ね等しくなる。よって、プリチャージの後、電圧電流供給回路５０１
１の電流出力端子５０１３から信号電流が供給されたとき、すばやく定常状態にすること
が出来る。
【０１５１】
図５１、５２では、オリジナル信号入力端子５０１２には、信号として電圧が入力され
ていた。次に、オリジナル信号入力端子５０１２に電流を入力する場合の構成を示す。
【０１５２】
図５３は、Ｐチャネル型トランジスタ５３０３に電流を入力する場合を示す。図５３は、
図５１の構成に、Ｐチャネル型トランジスタ５３０３を追加した形になる。つまり、図５
１では、トランジスタ５１０１のゲート電位を、オリジナル信号入力端子５０１２を介し
て、直接制御していた。一方、図５３では、Ｐチャネル型トランジスタ５３０３に電流を
流すことによって、トランジスタ５１０１のゲート電位を制御している。それ以外の部分
については、図５３は、図５１と同様なので、説明を省略する。なお、図５３において、
５１０２はトランジスタ５１０１とトランジスタ５３０３とを結ぶ配線である。
【０１５３】
図５３では、オリジナル信号入力端子５０１２から、Ｐチャネル型トランジスタ５３０
３に電流を入力する場合を示した。次に、図５４に、Ｎチャネル型トランジスタ５４０１
に電流を入力する場合を示す。
【０１５４】
図５４は、図５２の構成に、Ｎチャネル型トランジスタ５４０１を追加した形になる。図
５２では、トランジスタ４１０１のゲート電位を、オリジナル信号入力端子５０１２を介
して、直接制御していた。一方、図５３では、増幅回路５３０１に電流を流すことによっ
て、トランジスタ４１０１のゲート電位を制御している。つまり、トランジスタ４１０１
のゲート端子は、トランジスタ５３０１のゲート端子に接続されいる。したがって、トラ
ンジスタ５４０１に流れる電流に応じた電流が、トランジスタ４１０１とトランジスタ４
１０３とトランジスタ４１０５に流れる。それ以外の部分については、図５４は、図５３
と同様なので、説明を省略する。
【０１５５】
次に、被設定回路５０２１が、吐き出しタイプで、トランジスタ３８０１がＮチャネル
型である、図３８の構成の場合の電圧電流供給回路５０１１について述べる。なお、簡単
のため、図３８において、端子３７０２と３７０４は接続され、端子３８０５は、被設定
回路５０２１の入力端子５０２２（トランジスタ３８０１のソース端子）に接続されてい
るものとする。
【０１５６】
この場合、被設定回路５０２１のトランジスタ３８０１のソース端子は、被設定回路５
０２１の入力端子５０２２に接続されている。したがって、トランジスタ３８０１のソー
ス電位が、状態によって変化する。つまり、電圧電流供給回路５０１１の電流出力端子５
０１３から信号電流が供給されて、定常状態になったとき、つまり、信号の書き込みが完
了したとき、被設定回路５０２１の入力端子５０２２の電位は、トランジスタ３８０１の
ソース端子が定常状態になったときの電位である。したがって、電圧電流供給回路５０１
１の電圧出力端子５０１４から供給される信号電圧の大きさは、定常状態になったときの
トランジスタ３８０１のソース電位の大きさにする必要がある。
【０１５７】
そこで、オリジナル信号入力端子５０１２に電圧を入力する場合で、オリジナル信号入
力端子５０１２が、Ｐチャネル型トランジスタ５１０１のゲート端子に接続されている場
合の構成を図５５に示す。
【０１５８】
図５５では、トランジスタ５１０１のゲート端子は、トランジスタ５５０３のゲート端
子とに接続され、トランジスタ５５０６のゲート端子は、トランジスタ５５０８のゲート
端子とに接続されている。また、トランジスタ５１０１、５５０３、５５０９は配線５５
０４によって図５５のように接続されており、トランジスタ５５０８と５５０６は配線５
５０７によって図５５のように接続されている。したがって、トランジスタ５１０１に流
れる電流に応じた電流が、トランジスタ５５０３とトランジスタ５５０６とトランジスタ
５５０８とに流れる。ここで、トランジスタ５１０１のチャネル幅Ｗとチャネル長Ｌの比
率Ｗ１０１／Ｌ１０１、トランジスタ５５０３のチャネル幅Ｗとチャネル長Ｌの比率Ｗ１
０２／Ｌ１０２、トランジスタ５５０６のチャネル幅Ｗとチャネル長Ｌの比率Ｗ１０３／
Ｌ１０３、トランジスタ５５０８のチャネル幅Ｗとチャネル長Ｌの比率Ｗ１０４／Ｌ１０
４として、(Ｗ１０１／Ｌ１０１)＝(Ｗ１０２／Ｌ１０２)／μ、(Ｗ１０３／Ｌ１０３)＝
(Ｗ１０４／Ｌ１０４)／νとする。すると、トランジスタ５５０９には、トランジスタ５
１０１に流れる電流の（μ×ν）倍の電流が流れることになる。
【０１５９】
そして、トランジスタ５５０９のソース電位が、増幅回路５３０１を介して、電圧出力
端子５０１４へ出力される。ただし、これに限定されず、インピーダンス変換を行う必要
が無い場合などは、増幅回路５３０１を省略してもよい。
【０１６０】
ここで、トランジスタ５１０１のゲート端子は、トランジスタ５５０３のゲート端子とに
接続され、トランジスタ５５０６のゲート端子は、トランジスタ５５０８のゲート端子と
に接続されている。したがって、トランジスタ５１０１に流れる電流に応じた電流が、ト
ランジスタ５５０３とトランジスタ５５０６とトランジスタ５５０８とに流れる。ここで
、トランジスタ５１０１のチャネル幅Ｗとチャネル長Ｌの比率Ｗ１０１／Ｌ１０１、トラ
ンジスタ５５０３のチャネル幅Ｗとチャネル長Ｌの比率Ｗ１０２／Ｌ１０２、トランジス
タ５５０６のチャネル幅Ｗとチャネル長Ｌの比率Ｗ１０３／Ｌ１０３、トランジスタ５５
０８のチャネル幅Ｗとチャネル長Ｌの比率Ｗ１０４／Ｌ１０４、トランジスタ５５０９の
チャネル幅Ｗとチャネル長Ｌの比率Ｗ１０５／Ｌ１０５と、図３８におけるトランジスタ
３８０１のチャネル幅Ｗとチャネル長Ｌの比率Ｗ２３／Ｌ２３とを調節しておけば、電圧
電流供給回路５０１１の電圧出力端子５０１４から供給される信号電圧が、電圧電流供給
回路５０１１の電流出力端子５０１３から信号電流が供給されて、定常状態になったとき
、つまり、信号の書き込みが完了したときと、概ね等しい電圧値になる。つまり、(Ｗ２
３／Ｌ２３)＝(Ｗ１０５／Ｌ１０５)／（μ×ν）とすればよい。すると、トランジスタ
５５０９のゲート・ソース間電圧と、トランジスタ３８０１のゲート・ソース間電圧とが
、概ね等しくなり、電圧出力端子５０１４から信号電圧を供給することが、プリチャージ
していることと概ね等しくなる。よって、プリチャージの後、電圧電流供給回路５０１１
の電流出力端子５０１３から信号電流が供給されたとき、すばやく定常状態にすることが
出来る。
【０１６１】
次に、オリジナル信号入力端子５０１２に電圧を入力する場合で、オリジナル信号入力
端子５０１２が、Ｎチャネル型のトランジスタ４１０１のゲート端子に接続されている場
合の構成を図５６に示す。
【０１６２】
図５６では、トランジスタ４１０３のゲート端子は、トランジスタ４１０５のゲート端
子とに接続されており、トランジスタ５６０１のゲート端子は、トランジスタ４１０１の
ゲート端子とに接続されている。また、トランジスタ４１０３、４１０５、５６０２は端
子４１０４によって接続され、トランジスタ４１０１とトランジスタ５６０１は端子４１
０２によって接続されている。したがって、トランジスタ４１０１に流れる電流に応じた
電流が、トランジスタ４１０３とトランジスタ４８０５とトランジスタ５６０１に流れる
。ここで、トランジスタ４１０１のチャネル幅Ｗとチャネル長Ｌの比率Ｗ１１１／Ｌ１１
１、トランジスタ４１０３のチャネル幅Ｗとチャネル長Ｌの比率Ｗ１１２／Ｌ１１２、ト
ランジスタ４１０５のチャネル幅Ｗとチャネル長Ｌの比率Ｗ１１３／Ｌ１１３、トランジ
スタ５６０１のチャネル幅Ｗとチャネル長Ｌの比率Ｗ１１４／Ｌ１１４として、(Ｗ１１
２／Ｌ１１２)＝(Ｗ１１３／Ｌ１１３)／ξ、(Ｗ１１１／Ｌ１１１)＝(Ｗ１１５／Ｌ１１
５)／πとする。すると、トランジスタ４８０５には、トランジスタ４１０３やトランジ
スタ４１０１に流れる電流のξ倍の電流が流れ、トランジスタ５６０１やトランジスタ５
６０２には、トランジスタ４１０３に流れる電流のπ倍の電流が流れることになる。
【０１６３】
そして、トランジスタ５６０２のソース電位が、増幅回路５３０１を介して、電圧出力
端子５０１４へ出力される。ただし、これに限定されず、インピーダンス変換を行う必要
が無い場合などは、増幅回路５３０１を省略してもよい。
【０１６４】
ここで、トランジスタ４１０１のチャネル幅Ｗとチャネル長Ｌの比率Ｗ１１１／Ｌ１１１
、トランジスタ４１０３のチャネル幅Ｗとチャネル長Ｌの比率Ｗ１１２／Ｌ１１２、トラ
ンジスタ４１０５のチャネル幅Ｗとチャネル長Ｌの比率Ｗ１１３／Ｌ１１３、トランジス
タ５６０１のチャネル幅Ｗとチャネル長Ｌの比率Ｗ１１４／Ｌ１１４、トランジスタ５６
０２のチャネル幅Ｗとチャネル長Ｌの比率Ｗ１１５／Ｌ１１５と、図３８におけるトラン
ジスタ３８０１のチャネル幅Ｗとチャネル長Ｌの比率Ｗ２３／Ｌ２３とを調節しておけば
、電圧電流供給回路５０１１の電圧出力端子５０１４から供給される信号電圧が、電圧電
流供給回路５０１１の電流出力端子５０１３から信号電流が供給されて、定常状態になっ
たとき、つまり、信号の書き込みが完了したときと、概ね等しい電圧値になる。つまり、
(Ｗ２３／Ｌ２３)＝(Ｗ１１５／Ｌ１１５)×ξ／πとすればよい。すると、トランジスタ
５６０２のゲート・ソース間電圧と、トランジスタ３８０１のゲート・ソース間電圧とが
、概ね等しくなり、電圧出力端子５０１４から信号電圧を供給することが、プリチャージ
していることと概ね等しくなる。よって、プリチャージの後、電圧電流供給回路５０１１
の電流出力端子５０１３から信号電流が供給されたとき、すばやく定常状態にすることが
出来る。
【０１６５】
次に、図５７、５８では、オリジナル信号入力端子５０１２に電流を入力する場合場合
の構成を示す。図５７は、図５５に、トランジスタ５７０１を追加して、電流を入力でき
るようにしたものに相当し、図５８は、図５６に、トランジスタ５８０１を追加して、電
流を入力できるようにしたものに相当する。なお、図５７で、端子５５０４はトランジス
タ５１０１、５７０１、５５０３、５５０９を接続し、端子５５０７はトランジスタ５５
０６とトランジスタ５５０８とを接続する。また、図５８で、端子４１０４は、トランジ
スタ４１０５、４１０３、５６０２を接続し、端子４１０２はトランジスタ４１０１、５
８０１、５６０１を接続する。
【０１６６】
このように、図５１〜図５８までは、電圧電流供給回路５０１１が吐き出しタイプの場
合について述べてきた。しかし、被設定回路５０２１が図３９や図４０のように吸い込み
タイプである場合、電圧電流供給回路５０１１を吸い込みタイプにする必要がある。ただ
し、吐き出しタイプの構成から吸い込みタイプの構成へ変更する場合は、トランジスタの
極性を変更するだけでよい。例えば、図５２を吸い込みタイプに変更した場合の構成を図
５９に示す。このように、各トランジスタの極性を逆にし、各配線の電位を変更すればよ
い。
【０１６７】
次に、図５０における電流記憶回路５０３１の構成について述べる。電流記憶回路５０
３１は、記憶電流入力端子５０３２から電流が入力され、記憶電流出力端子５０３３から
電流が出力されるような回路であれば、どのような構成でもよい。
【０１６８】
例としては、図２１や図２２〜図３５において述べたような構成を用いればよい。つま
り、図２１における電流入力端子２１０２が、図５０における電流記憶回路５０３１の記
憶電流入力端子５０３２に相当し、図２１における電流出力端子２１０１が、図５０にお
ける電流記憶回路５０３１の記憶電流出力端子５０３３に相当する。
【０１６９】
図６０では、図２２の構成を用いた場合の電流記憶回路５０３１の一例を示す。同様に、
図６１は、図２８の構成を用いた場合の電流記憶回路の一例を、図６２は、図２６の構成
を用いた場合の電流記憶回路の一例を示す。図６０の場合、吸い込みタイプに相当し、図
６１の場合、吐き出しタイプに相当し、図６２の場合、電流を入力する部分と出力する部
分とで、タイプが逆になっているものに相当する。
【０１７０】
このように、吸い込みタイプか吐き出しタイプかなどを適宜選択することにより、電流
記憶回路５０３１を構成することが出来る。
【０１７１】
（実施の形態６）
実施の形態５での図５０では、間に電流記憶回路５０３１が挿入されている場合につい
て述べた。つまり、図５０では、電圧電流供給回路５０１１から電流記憶回路５０３１へ
は、電流出力端子５０１３から信号電流が供給されていた。しかし、これに限定されず、
図３６に示したように、信号電圧と信号電流とを入力するようにしてもよい。
【０１７２】
そこで、図６３に、電流記憶回路５０３１に、信号電圧と信号電流とを入力する場合に
ついて示す。
【０１７３】
図６３に示すように、電圧電流供給回路５０４１の第２電圧出力端子６３４３から信号
電圧がスイッチ６３０３を経由して電流記憶回路５０３１に出力される。これは、プリチ
ャージ動作に相当する。その後、電流出力端子５０４３からスイッチ５００３を経由して
、信号電流が電流記憶回路５０３１に出力され、電流記憶回路５０３１において、電流設
定が行われ、電流値が記憶される。そして、電圧電流供給回路５０４１の電圧出力端子５
０４４から、スイッチ５００１と出力端子５０２２を経由して、被設定回路５０２１に信
号電圧が出力される。そのため、被設定回路５０２１では、プリチャージが行われること
になる。その後、電流記憶回路５０３１からスイッチ５００２と出力端子５０２２を経由
して被設定回路５０２１へ信号電流が出力され、被設定回路５０２１において電流が設定
される。なお、電流記憶回路５０３１から被設定回路５０２１へ出力される電流の大きさ
は、電圧電流供給回路５０４１の電流出力端子５０４３から電流記憶回路５０３１に出力
される電流の大きさと比例関係にある。あるいは、電流記憶回路５０３１の構成によって
は、概ね等しくなる。
【０１７４】
なお、図６３においては、電流記憶回路５０３１と被設定回路５０２１とが、各々、吸
い込みタイプであるか吐き出しタイプであるかによって、また、回路を構成するトランジ
スタの極性などによって、電圧電流供給回路５０４１の電圧出力端子５０４４と第２電圧
出力端子６３４３とで、出力される電圧値を調整する必要がある。
【０１７５】
つまり、電圧電流供給回路５０４１の電圧出力端子５０４４から出力される電圧は、被
設定回路５０２１に対するプリチャージ動作になるような大きさにし、電圧電流供給回路
５０１１の第２電圧出力端子６３１３から出力される電圧は、電流記憶回路５０３１に対
するプリチャージ動作になるような大きさにする。
【０１７６】
各々の電圧の大きさは、実施の形態４、５において述べたのと同様に、各トランジスタ
を流れる電流値とトランジスタの極性とトランジスタのサイズと、吸い込みタイプである
か吐き出しタイプであるか、などを調整することにより、生成することが出来る。
【０１７７】
そこでまず、電圧電流供給回路５０４１も被設定回路５０２１も吐き出しタイプである
場合における、電圧電流供給回路５０４１の構成について述べる。
【０１７８】
まず、被設定回路５０２１は、吐き出しタイプであり、Ｐチャネル型トランジスタ３７０
１が用いられている図３７の構成であるとする。また、電流記憶回路５０３１は、吸い込
みタイプであり、図６０の構成であるとする。その場合の電圧電流供給回路５０４１の構
成の例を図６４に示す。これは、図５１の構成に対して、トランジスタ６４０１、６４０
２を追加した構成、もしくは、図４２の構成に対して、トランジスタ６４０１のゲート電
圧を出力するようにした構成であると言える。したがって、各トランジスタを流れる電流
値とトランジスタサイズとを調節することにより、最適な信号電圧（プリチャージ電圧）
を出力することができる。
【０１７９】
次に、オリジナル信号入力端子５０４２が、Ｎチャネル型トランジスタのゲート端子に
接続されている場合の構成を図６５に示す。これは、図５２の構成に対して、トランジス
タ４１０１のゲート電圧を出力するようにした構成であると言える。したがって、各トラ
ンジスタを流れる電流値とトランジスタサイズとを調節することにより、最適な信号電圧
（プリチャージ電圧）を出力することができる。
【０１８０】
次に、オリジナル信号入力端子５０４２に電流を入力する場合の構成を示す。図６６に
、Ｐチャネル型トランジスタ５３０３に電流を入力する場合を示す。図６６は、図６４の
構成に、Ｐチャネル型トランジスタ５３０３を追加した形になる。つまり、図６４では、
トランジスタ５１０１のゲート電位を、オリジナル信号入力端子５０１２を介して、直接
制御していた。一方、図６６では、Ｐチャネル型トランジスタ５３０３に電流を流すこと
によって、トランジスタ５１０１のゲート電位を制御している。それ以外の部分について
は、図６６は、図６４と同様なので、説明を省略する。
【０１８１】
なお、増幅回路５３０１a、５３０１bを介して、電圧出力端子５０４４や第２電圧出力端
子６３４３へ出力されているが、これに限定されず、インピーダンス変換を行う必要が無
い場合は、省略してもよい。
【０１８２】
次に、図６７に、Ｎチャネル型トランジスタ５４０１に電流を入力する場合を示す。図
６７は、図６５の構成に、Ｎチャネル型トランジスタ５４０１を追加した形になる。よっ
て、詳しい説明を省略する。
【０１８３】
次に、被設定回路５０２１が、吐き出しタイプで、トランジスタ３８０１がＮチャネル
型である、図３８の構成の場合の電圧電流供給回路５０４１について述べる。なお、簡単
のため、図３８において、端子３７０２と３７０４は接続され、端子３７０５は、被設定
回路５０２１の入力端子５０２２（トランジスタ３８０１のソース端子）に接続されてい
るものとする。
【０１８４】
そこでまず、オリジナル信号入力端子５０４２に電圧を入力する場合で、オリジナル信
号入力端子５０４２が、Ｐチャネル型トランジスタ５１０１のゲート端子に接続されてい
る場合の構成を図６８に示す。これは、図５５の構成に対して、トランジスタ５５０６の
ゲート電圧を出力するようにした構成であると言える。したがって、各トランジスタを流
れる電流値とトランジスタサイズとを調節することにより、最適な信号電圧（プリチャー
ジ電圧）を出力することができる。
【０１８５】
なお、増幅回路５３０１a、５３０１bを介して、電圧出力端子５０４４や第２電圧出力端
子６３４３へ出力されているが、これに限定されず、インピーダンス変換を行う必要が無
い場合は、省略してもよい。
【０１８６】
次に、オリジナル信号入力端子５０４２に電圧を入力する場合で、オリジナル信号入力
端子５０４２が、Ｎチャネル型トランジスタ４１０１のゲート端子に接続されている場合
の構成を図６９に示す。これは、図５６の構成に対して、トランジスタ４１０１のゲート
電圧を出力するようにした構成であると言える。したがって、各トランジスタを流れる電
流値とトランジスタサイズとを調節することにより、最適な信号電圧（プリチャージ電圧
）を出力することができる。
【０１８７】
次に、オリジナル信号入力端子５０４２に電流を入力する場合場合の構成を図７０、７
１に示す。図７０は、図６８に、トランジスタ５７０１を追加して、電流を入力できるよ
うにしたものに相当し、図７１は、図６９に、トランジスタ５８０１を追加して、電流を
入力できるようにしたものに相当する。
【０１８８】
なお、図６４において、第２電圧出力端子６３４３には、ゲート端子の電圧を出力して
いるが、これに限定されない。、図６４のトランジスタ６４０２の極性を電流記憶回路５
０３１のトランジスタの極性に合わせて変更しすることによって図７２のトランジスタ７
２０２のように構成し、さらにそのソース端子の電圧を第２電圧出力端子６３４３に出力
するようにしてもよい。これは、図６５〜７１についても同様である。
【０１８９】
このように、図６４〜図７２までは、電圧電流供給回路５０１１も被設定回路５０２１
も吐き出しタイプの場合について述べてきた。しかし、被設定回路５０２１が図３９や図
４０のように吸い込みタイプである場合、電圧電流供給回路５０１１を吸い込みタイプに
する必要がある。ただし、吐き出しタイプの構成から吸い込みタイプの構成へ変更する場
合は、トランジスタの極性を変更するだけでよい。例えば、図６５を吸い込みタイプに変
更した場合の構成を図７３に示す。このように、各トランジスタの極性を逆にし、各配線
の電位を変更すればよい。
【０１９０】
このように、吸い込みタイプか吐き出しタイプかなどを適宜選択することにより、様々
な構成にすることが出来る。
【０１９１】
（実施の形態７）
実施の形態５での図５０では、電圧電流供給回路５０１１と被設定回路５０２１に間に
電流記憶回路５０３１が挿入されている場合について述べた。これにより、信号電流を一
旦、記憶したのち、被設定回路５０２１に電流を入力していた。そこで、同様に、電圧電
流供給回路５０１１と被設定回路５０２１に間に、電圧記憶回路５０５１を入れてもよい
。図５０の構成に対して、電圧記憶回路５０５１を配置した場合の構成を、図７４に示す
。
【０１９２】
ただし、これに限定されず、図６３の構成に対して電圧記憶回路５０５１を配置しても
よい。同様に、図６３の構成において、電圧電流供給回路５０４１と電流記憶回路５０３
１の間に、電圧記憶回路５０５１を配置してもよい。
【０１９３】
次に、電圧記憶回路５０５１の構成例を図７５に示す。電圧値を記憶する素子として、
容量素子７５０１が配置されている。そして、増幅回路７５０２が配置されている。なお
、増幅回路７５０２は、入力電位と概ね等しい電位を出力するような回路であり、電圧フ
ォロワ回路などが望ましい。ただし、これに限定されず、インピーダンスを変換するよう
な機能を果たせばよい。なお、インピーダンス変換を行う必要が無い場合は、増幅回路７
５０１を省略してもよい。
【０１９４】
なお、図７６に示すように、容量素子（７５０１ａ、７５０１ｂ）や増幅回路（７５０
２ａ、７５０２ｂ）を複数配置しても良い。その場合、図７７に示すように、記憶電圧入
力端子５０５２から電圧を入力しながら、記憶電圧出力端子５０５３から、別の大きさの
電圧を出力することが出来る。これにより、動作タイミングをより柔軟に制御することが
出来る。
【０１９５】
同様に、図７８に示すように、容量素子（７５０１ａ、７５０１ｂ）を複数配置しても
良い。これにより、動作タイミングをより柔軟に制御することが出来る
【０１９６】
（実施の形態８）
実施の形態４〜７では、ビデオ信号電圧とビデオ信号電流とを供給する回路について述
べた。本実施の形態では、実施の形態４〜７で述べた、ビデオ信号電圧とビデオ信号電流
とを供給する回路を、実施の形態１〜３で述べた構成に適用する場合の対応関係について
述べる。
【０１９７】
まず、図１８、１９、１０、２０などの構成において、ビデオ電流信号線１８０１やビ
デオ電圧信号線１０１に、信号を供給する部分に、実施の形態４〜７で述べた、ビデオ信
号電圧とビデオ信号電流とを供給する回路を配置した場合の構成を図７９に示す。
【０１９８】
これは、図５０の構成を適用した場合に相当する。つまり、図５０における電圧電流供
給回路５０１１が、図７９の電圧電流供給回路５０１１に相当し、図５０における被設定
回路５０２１が、図１８、１９、１０、２０などにおける画素に相当し、図５０における
電流記憶回路５０３１が、図７９における電流源回路１８０７aに相当する。このような
構成にすることにより、画素や電流源回路１８０７aに、適切な信号を供給することが出
来、かつ、素早く定常状態にすることが出来る。
【０１９９】
なお、図１９や図１７のように、電圧記憶回路１１０１a〜１１０１b、１７０２ａａ〜
１７０２ｂｂなどが配置されている場合は、図７４の構成を適用したものに相当する。つ
まり、図７４における電圧記憶回路５０５１が、図１９や図１７における電圧記憶回路１
１０１a〜１１０１b、１７０２ａａ〜１７０２ｂｂに相当する。
【０２００】
なお、図７９において、電流源１８０７ａが、図３２のような構成の場合、ビデオ電流信
号線は、ビデオ電流信号線１８０１iやビデオ電流信号線１８０１jなどのように、複数本
あることになる。その場合の構成図を図８８、図８９に示す。オリジナル電圧信号入力端
子８８１２aから電圧信号を入力し、オリジナル信号入力端子８８１２bから、電流を供給
するために電圧信号を入力する。すると、ビデオ電流信号線１８０１iやビデオ電流信号
線１８０１jから、電流が出力される。なお、図８８、図８９では、ビデオ電流信号線が
２本の場合について示しているが、これに限定されない。
【０２０１】
なお、電圧電流供給回路８８１１の中のトランジスタ８９０１やトランジスタ８９０２な
どのチャネル幅Ｗとチャネル長Ｌの比率については、各々のトランジスタでのチャネル幅
Ｗとチャネル長Ｌの比率を足しあわせたものが、ビデオ電流信号線１８０１iやビデオ電
流信号線１８０１jから出力される電流値の合計に相当する。したがって、ビデオ電流信
号線の合計に流れる電流の大きさが最も大きい場合で想定して、チャネル幅Ｗとチャネル
長Ｌの比率を決定すればよい。その結果、ビデオ電流信号線の合計に流れる電流の大きさ
が最も大きい場合は、オリジナル電圧信号入力端子８８１２aから入力する電圧信号の大
きさは、オリジナル信号入力端子８８１２bから入力する電圧信号と概ね等しくすること
ができる。つまり、図７９などの場合に当てはめると、図８８や図８９の場合は、ビデオ
電流信号線の合計に流れる電流の大きさが最も大きい場合を想定して、チャネル幅Ｗとチ
ャネル長Ｌの比率を決定すればよい。
【０２０２】
なお、既に述べたように、トランジスタ８９０１やトランジスタ８９０２では、２のべき
乗で、出力する電流の大きさが大きくなる。よって、チャネル長Ｌは、トランジスタ８９
０１やトランジスタ８９０２などでは同じ大きさにして、チャネル幅Ｗを２のべき乗にし
ていけばよい。そして、各々のトランジスタでのチャネル幅Ｗとチャネル長Ｌの比率を足
しあわせたもので、電流源回路１８０７aや画素などのトランジスタのチャネル幅Ｗとチ
ャネル長Ｌを決定すればよい。その結果、ビデオ電流信号線の合計に流れる電流の大きさ
が、もっとも大きい場合は、オリジナル電圧信号入力端子８８１２aから入力する電圧信
号の大きさは、オリジナル信号入力端子８８１２bから入力する電圧信号と概ね等しくす
ることが出来る。
【０２０３】
次に、図６３の構成を適用した場合を、図８０に示す。このような構成にすることによ
り、画素や電流源回路１８０７aに、適切な信号を供給することが出来、かつ、素早く定
常状態にすることが出来る。
【０２０４】
次に、図３６の構成を適用した場合を、図８１に示す。このような構成にすることによ
り、電流源回路１８０７aに、適切な信号を供給することが出来、かつ、素早く定常状態
にすることが出来る。なお、図８１において、オリジナル信号入力端子５０１２とビデオ
電圧信号線１０１とを接続して、同じ大きさの信号電圧を加えるようにしてもよい。
【０２０５】
このように、実施の形態４〜７で述べた、ビデオ信号電圧とビデオ信号電流とを供給す
る回路を、実施の形態１〜３で述べた構成に自由に適用することが出来る。
【０２０６】
（実施の形態９）
本実施の形態では、画素の構成例を示す。図８２に、吐き出しタイプで、Ｐチャネル型
トランジスタを用いた場合の構成例を示す。まず、図８３に示すように、信号電圧を入力
する場合は、スイッチ１２０９aaをオンにする。ただし、オフでも構わない。次に、図８
４に示すように、信号電流を入力する。
【０２０７】
そしてその後、負荷であるＥＬ素子８２０５aaに電流を供給し、発光させることが出来
る。なお、負荷は、ＥＬ素子８２０５aaに限定されない。抵抗などのような素子、トラン
ジスタ、ＥＬ素子、その他の発光素子、トランジスタと容量とスイッチなどで構成された
電流源回路、任意の回路が接続された配線でもよいし、信号線、信号線とそれに接続され
た画素でもよい。その画素には、ＥＬ素子やＦＥＤで用いる素子、その他電流を流して駆
動する素子を含んでいてもよい。
【０２０８】
なお、画素の構成は、少なくとも電流を入力するような方式であれば、どのような構成で
もよい。例えば、図８５や図８６のような構成でもよい。また、吐き出しタイプか吸い込
みタイプかを変更したり、トランジスタの極性を変更することなどにより、様々な構成に
することが出来る。また、図２２〜２８のような電流源回路と同様な構成を用いてもよい
。
【０２０９】
なお、様々な容量素子は、トランジスタのゲート容量などで代用することにより、省略
することが出来る。
【０２１０】
なお、これまで述べてきたさまざまな構成において、スイッチが各部分に配置されている
が、その配置場所は、すでに述べた場所に限定されない。正常に動作する場所であれば、
任意の場所にスイッチを配置することが可能である。
【０２１１】
なお、スイッチは、電気的スイッチでも機械的なスイッチでも何でも良い。電流の流れ
を制御できるものなら、何を用いても良い。トランジスタでもよいし、ダイオードでもよ
いし、それらを組み合わせた論理回路でもよい。よって、スイッチとしてトランジスタを
用いる場合、そのトランジスタは、単なるスイッチとして動作するため、トランジスタの
極性（導電型）は特に限定されない。ただし、オフ電流が少ない方が望ましい場合、オフ
電流が少ない方の極性のトランジスタを用いることが望ましい。オフ電流が少ないトラン
ジスタとしては、ＬＤＤ領域を設けているもの等がある。また、スイッチとして動作させ
るトランジスタのソース端子の電位が、低電位側電源（Vss、Vgnd、０Vなど）に近い状態
で動作する場合はｎチャネル型を、反対に、ソース端子の電位が、高電位側電源（Vddな
ど）に近い状態で動作する場合はｐチャネル型を用いることが望ましい。なぜなら、ゲー
ト・ソース間電圧の絶対値を大きくできるため、スイッチとして、動作しやすいからであ
る。なお、ｎチャネル型とｐチャネル型の両方を用いて、ＣＭＯＳ型のスイッチにしても
よい。
【０２１２】
なお、本発明におけるトランジスタは、どのようなタイプのトランジスタでもよいし、ど
のような基板上に形成されていてもよい。したがって、バリウムホウケイ酸ガラス、アル
ミノホウケイ酸ガラスなどのガラス基板、石英基板、セラミックス基板、ステンレス基板
、プラスチックやアクリルに代表される可撓性を有する基板、単結晶基板、ＳＯＩ基板な
どの基板を用いて、これらの基板の上に図１、図７９または図８２などで示したような回
路をすべて形成しても良い。あるいは、図１、図７９または図８２などにおける回路の一
部をある基板に形成し、図１、図７９または図８２における回路の別の一部を、別の基板
に形成してもよい。つまり、図１、図７９または図８２における回路の全てが同じ基板上
に形成されていなくてもよい。例えば、画素とゲート線駆動回路とは、ガラス基板上にＴ
ＦＴを用いて形成し、信号線駆動回路（もしくはその一部）は、単結晶基板上に形成し、
そのＩＣチップをＣＯＧ(Chip On Glass)で接続してガラス基板上に配置してもよい。あ
るいは、そのＩＣチップをＴＡＢ(Tape Auto Bonding)やプリント基板を用いてガラス基
板と接続してもよい。
【０２１３】
（実施の形態１０）
本実施の形態１〜３では、画素へ、信号電圧をプリチャージとして入力して、その後、
信号電流を入力する、という動作の場合について述べた。ただし、これに限定されない。
【０２１４】
例えば、信号電流を入力せずに、信号電圧だけを画素や信号線に入力して、動作させて
もよい。ただしこの場合、各画素の輝度がばらついてしまう。しかし、動画などを表示す
る場合であれば、輝度のばらつきは目立たない。よって、信号電圧のみ入力して、信号電
流を画素や信号線に入力しないようにすれば、各電流源部分で流れる電流を止めることが
できるので、消費電力を低減できる。
【０２１５】
そして、静止画を表示する場合は、各画素の輝度のバラツキを認識しやすくなる。その
ため、本実施の形態１〜３で述べたのと同様に、信号電圧を入力した後、信号電流を入力
し、輝度バラツキの影響を低減することが望ましい。
【０２１６】
このように、画素や信号線に、信号電圧のみを入力する場合の動作を、電圧入力モード
と呼び、信号電圧をプリチャージとして入力した後、信号電流を入力する場合の動作を、
電流入力モードと呼ぶことにする。
【０２１７】
電圧入力モードでは、各部分の電流源や増幅回路の動作を止めることが可能なため、消
費電力を低減できる。ただし、輝度のバラツキが生じてしまう。
【０２１８】
一方、電流入力モードでは、消費電力を低減することは難しいが、輝度バラツキの影響
を低減できる。
【０２１９】
そこで、状況に合わせて、電圧入力モードと電流入力モードとを切り替えて動作させて
もよい。例えば、静止画を表示させる場合、あるいは、所定の期間以上、静止画を表示さ
せる場合は、電流入力モードで動作させ、それ以外の時には、電圧入力モードで動作させ
てもよい。例えば、１秒以上、静止画を表示させる場合は、電流入力モードで動作させる
、として動作させてもよい。
【０２２０】
または、表示面積のうち、所定の割合の面積以上の領域の画像が変化する場合は、電流入
力モードで動作させ、それ以外の時には、電圧入力モードで動作させてもよい。例えば、
画面の半分以上の領域で画像が変化する場合は、電流入力モードで動作させてもよい。
【０２２１】
または、その両者を組み合わせて、所定の期間、あるいは、所定の領域で、画像が変化す
る場合は、電流入力モードで動作させ、それ以外の時には、電圧入力モードで動作させて
もよい。
【０２２２】
（実施の形態１１）
本発明を用いた電子機器として、ビデオカメラ、デジタルカメラ、ゴーグル型ディスプ
レイ（ヘッドマウントディスプレイ）、ナビゲーションシステム、音響再生装置（カーオ
ーディオ、オーディオコンポ等）、パーソナルコンピュータ、ゲーム機器、携帯情報端末
（モバイルコンピュータ、携帯電話、携帯型ゲーム機または電子書籍等）、記録媒体を備
えた画像再生装置（具体的にはDigital Versatile Disc（ＤＶＤ）等の記録媒体を再生し
、その画像を表示しうるディスプレイを備えた装置）などが挙げられる。それらの電子機
器の具体例を図８７に示す。
【０２２３】
図８７（Ａ）は発光装置であり、筐体１３００１、支持台１３００２、表示部１３００
３、スピーカー部１３００４、ビデオ入力端子１３００５等を含む。本発明は表示部１３
００３を構成する電気回路に用いることができる。また本発明により、図８７（Ａ）に示
す発光装置が完成される。発光装置は自発光型であるためバックライトが必要なく、液晶
ディスプレイよりも薄い表示部とすることができる。なお、発光装置は、パソコン用、Ｔ
Ｖ放送受信用、広告表示用などの全ての情報表示用表示装置が含まれる。
【０２２４】
図８７（Ｂ）はデジタルスチルカメラであり、本体１３１０１、表示部１３１０２、受
像部１３１０３、操作キー１３１０４、外部接続ポート１３１０５、シャッター１３１０
６等を含む。本発明は、表示部１３１０２を構成する電気回路に用いることができる。ま
た本発明により、図８７（Ｂ）に示すデジタルスチルカメラが完成される。
【０２２５】
図８７（Ｃ）はパーソナルコンピュータであり、本体１３２０１、筐体１３２０２、表
示部１３２０３、キーボード１３２０４、外部接続ポート１３２０５、ポインティングマ
ウス１３２０６等を含む。本発明は、表示部１３２０３を構成する電気回路に用いること
ができる。また本発明により、図８７（Ｃ）に示す発光装置が完成される。
【０２２６】
図８７（Ｄ）はモバイルコンピュータであり、本体１３３０１、表示部１３３０２、ス
イッチ１３３０３、操作キー１３３０４、赤外線ポート１３３０５等を含む。本発明は、
表示部１３３０２を構成する電気回路に用いることができる。また本発明により、図８７
（Ｄ）に示すモバイルコンピュータが完成される。
【０２２７】
図８７（Ｅ）は記録媒体を備えた携帯型の画像再生装置（具体的にはＤＶＤ再生装置）
であり、本体１３４０１、筐体１３４０２、表示部Ａ１３４０３、表示部Ｂ１３４０４、
記録媒体（ＤＶＤ等）読み込み部１３４０５、操作キー１３４０６、スピーカー部１３４
０７等を含む。表示部Ａ１３４０３は主として画像情報を表示し、表示部Ｂ１３４０４は
主として文字情報を表示するが、本発明は、表示部Ａ、Ｂ１３４０３、１３４０４を構成
する電気回路に用いることができる。なお、記録媒体を備えた画像再生装置には家庭用ゲ
ーム機器なども含まれる。また本発明により、図８７（Ｅ）に示すＤＶＤ再生装置が完成
される。
【０２２８】
図８７（Ｆ）はゴーグル型ディスプレイ（ヘッドマウントディスプレイ）であり、本体
１３５０１、表示部１３５０２、アーム部１３５０３を含む。本発明は、表示部１３５０
２を構成する電気回路に用いることができる。また本発明により、図８７（Ｆ）に示すゴ
ーグル型ディスプレイが完成される。
【０２２９】
図８７（Ｇ）はビデオカメラであり、本体１３６０１、表示部１３６０２、筐体１３６
０３、外部接続ポート１３６０４、リモコン受信部１３６０５、受像部１３６０６、バッ
テリー１３６０７、音声入力部１３６０８、操作キー１３６０９、接眼部１３６１０等を
含む。本発明は、表示部１３６０２を構成する電気回路に用いることができる。また本発
明により、図８７（Ｇ）に示すビデオカメラが完成される。
【０２３０】
図８７（Ｈ）は携帯電話であり、本体１３７０１、筐体１３７０２、表示部１３７０３
、音声入力部１３７０４、音声出力部１３７０５、操作キー１３７０６、外部接続ポート
１３７０７、アンテナ１３７０８等を含む。本発明は、表示部１３７０３を構成する電気
回路に用いることができる。なお、表示部１３７０３は黒色の背景に白色の文字を表示す
ることで携帯電話の消費電流を抑えることができる。また本発明により、図８７（Ｈ）に
示す携帯電話が完成される。
【０２３１】
なお、将来的に発光材料の発光輝度が高くなれば、出力した画像情報を含む光をレンズ
等で拡大投影してフロント型若しくはリア型のプロジェクターに用いることも可能となる
。
【０２３２】
また、上記電子機器はインターネットやＣＡＴＶ（ケーブルテレビ）などの電子通信回
線を通じて配信された情報を表示することが多くなり、特に動画情報を表示する機会が増
してきている。発光材料の応答速度は非常に高いため、発光装置は動画表示に好ましい。
【０２３３】
また、発光装置は発光している部分が電力を消費するため、発光部分が極力少なくなる
ように情報を表示することが望ましい。従って、携帯情報端末、特に携帯電話や音響再生
装置のような文字情報を主とする表示部に発光装置を用いる場合には、非発光部分を背景
として文字情報を発光部分で形成するように駆動することが望ましい。
【０２３４】
以上の様に、本発明の適用範囲は極めて広く、あらゆる分野の電子機器に用いることが
可能である。また本実施の形態の電子機器は、実施の形態１〜１０に示したいずれの構成
の半導体装置を用いても良い。
【図１】
0005448262.tif 000002
【図２】
0005448262.tif 000003
【図３】
0005448262.tif 000004
【図４】
0005448262.tif 000005
【図５】
0005448262.tif 000006
【図６】
0005448262.tif 000007
【図７】
0005448262.tif 000008
【図８】
0005448262.tif 000009
【図９】
0005448262.tif 000010
【図１０】
0005448262.tif 000011
【図１１】
0005448262.tif 000012
【図１２】
0005448262.tif 000013
【図１３】
0005448262.tif 000014
【図１４】
0005448262.tif 000015
【図１５】
0005448262.tif 000016
【図１６】
0005448262.tif 000017
【図１７】
0005448262.tif 000018
【図１８】
0005448262.tif 000019
【図１９】
0005448262.tif 000020
【図２０】
0005448262.tif 000021
【図２１】
0005448262.tif 000022
【図２２】
0005448262.tif 000023
【図２３】
0005448262.tif 000024
【図２４】
0005448262.tif 000025
【図２５】
0005448262.tif 000026
【図２６】
0005448262.tif 000027
【図２７】
0005448262.tif 000028
【図２８】
0005448262.tif 000029
【図２９】
0005448262.tif 000030
【図３０】
0005448262.tif 000031
【図３１】
0005448262.tif 000032
【図３２】
0005448262.tif 000033
【図３３】
0005448262.tif 000034
【図３４】
0005448262.tif 000035
【図３５】
0005448262.tif 000036
【図３６】
0005448262.tif 000037
【図３７】
0005448262.tif 000038
【図３８】
0005448262.tif 000039
【図３９】
0005448262.tif 000040
【図４０】
0005448262.tif 000041
【図４１】
0005448262.tif 000042
【図４２】
0005448262.tif 000043
【図４３】
0005448262.tif 000044
【図４４】
0005448262.tif 000045
【図４５】
0005448262.tif 000046
【図４６】
0005448262.tif 000047
【図４７】
0005448262.tif 000048
【図４８】
0005448262.tif 000049
【図４９】
0005448262.tif 000050
【図５０】
0005448262.tif 000051
【図５１】
0005448262.tif 000052
【図５２】
0005448262.tif 000053
【図５３】
0005448262.tif 000054
【図５４】
0005448262.tif 000055
【図５５】
0005448262.tif 000056
【図５６】
0005448262.tif 000057
【図５７】
0005448262.tif 000058
【図５８】
0005448262.tif 000059
【図５９】
0005448262.tif 000060
【図６０】
0005448262.tif 000061
【図６１】
0005448262.tif 000062
【図６２】
0005448262.tif 000063
【図６３】
0005448262.tif 000064
【図６４】
0005448262.tif 000065
【図６５】
0005448262.tif 000066
【図６６】
0005448262.tif 000067
【図６７】
0005448262.tif 000068
【図６８】
0005448262.tif 000069
【図６９】
0005448262.tif 000070
【図７０】
0005448262.tif 000071
【図７１】
0005448262.tif 000072
【図７２】
0005448262.tif 000073
【図７３】
0005448262.tif 000074
【図７４】
0005448262.tif 000075
【図７５】
0005448262.tif 000076
【図７６】
0005448262.tif 000077
【図７７】
0005448262.tif 000078
【図７８】
0005448262.tif 000079
【図７９】
0005448262.tif 000080
【図８０】
0005448262.tif 000081
【図８１】
0005448262.tif 000082
【図８２】
0005448262.tif 000083
【図８３】
0005448262.tif 000084
【図８４】
0005448262.tif 000085
【図８５】
0005448262.tif 000086
【図８６】
0005448262.tif 000087
【図８７】
0005448262.tif 000088
【図８８】
0005448262.tif 000089
【図８９】
0005448262.tif 000090